(57)【要約】【課題】ゴミ処理場は、数年でゴミで埋まる時代は終わり、１５年以上延命化が図られるようになってきた。それに伴い、遮水シートの表面に敷設された遮水シート保護マットの強度を長く維持することができるかと同時に、カラスなどの鳥類からの被害も長く受けることとなってきた。【解決手段】地面の逆角錐台状の処理場用くぼみ部における底面、前後の壁面、左右の壁面の上面に遮水シートを敷設する。遮水シートにおける前後の壁面、左右の壁面の上面に、遮水シート保護マットなどを並列状態で面ファスナーやライスターなどの溶着機を利用して連結して敷設する。遮水シート保護マットにおける前後の壁面、左右の壁面の上面に、補強シートを並列状態でライスターなどの溶着機を利用して連結して敷設する。補強シートにおける前後の壁面、左右の壁面の上面に鳥獣防止ネットを敷設する。その際、補強シートと鳥獣防止ネットの間に一定の空間を作る。【選択図】　　図１
2004016934.tif 000002
【特許請求の範囲】
【請求項１】
処分場用くぼみ部（２）と、遮水シート（３）と、遮水シート保護マット（４）と、補強シート（５）と、土砂（７）から構成され、
処分場用くぼみ部（２）は、底面（２Ａ）と、　この底面の前後に連設された前後の壁面（２Ｂ、２Ｃ）と、左右に連設された左右の壁面（２Ｄ、２Ｅ）とから構成され、処分場用くぼみ部（２）の外周には、土盛された縁部（２Ｆ）を介して断面逆台形状の溝（２Ｇ）が形成され、
遮水シート（３）は、塩化ビニール、ポリエチレン、ゴム、Ｅ．　Ｖ．　Ａ．　などのシートで構成され、処分場用くぼみ部（２）における上面に敷設され、
遮水シート保護マット（４）は、平面方形のマット体（４Ａ）の左端下面に添着された面ファスナーの一方（４Ｂ）と右端上面に添着された面ファスナーの他方（４Ｃ）とから構成され、処分場用くぼみ部の内面に敷設された遮水シート（３）における前後左右の壁面の上面に隙間のないように連結して敷設され、
補強シート（５）は、平面方形の不織布などでなるシート体（５Ａ）の上面に、当該シート体（５Ａ）の右方露出縁（５Ａ１）を設けた状態でラミネートされた合成樹脂（５Ｂ）で構成され、処分場用くぼみ部（２）の内面に敷設された遮水シート保護マット（４）における上面に積層され、
土砂（７）は、補強シート（５）を積層後、所定の厚さで敷き詰められていることを特徴とする廃棄物の処分場。
【請求項２】
遮水シート保護マット（４）と補強シート（５）を、３スパン間隔で溶着機を利用して溶着したり、合成樹脂を熱硬化させて溶着した請求項１記載の廃棄物の処分場。
【請求項３】
第１種処分場用くぼみ部（２１）と、第１種遮水シート（３１）と、遮水シート保護マット（４）と、下方遮水シート保護マット（４１）と、補強シート（５）と、下方補強シート（５１）と、土砂（７）から構成され、第１種処分場用くぼみ部（２１）は、底面（２１Ａ）と、　この底面の前後に連設された前後の下方壁面（２１Ｂ、２１Ｃ）と、左右に連設された左右の下方壁面（２１Ｄ、２１Ｅ）と、これら壁面の上端に形成された中間天場（２Ｈ）と、この中間天場（２Ｈ）に形成された断面逆台形状の中間溝（２Ｉ）と、中間溝（２Ｉ）に上方に向け連設された前後の壁面（２Ｂ、２Ｃ）と、左右の壁面（２Ｄ、２Ｅ）と、これら前後の壁面（２Ｂ、２Ｃ）と左右の壁面（２Ｄ、２Ｅ）の外周に、土盛された縁部（２Ｆ）を介して形成された断面逆台形状の溝（２Ｇ）から構成され、
第１種遮水シート（３１）は、塩化ビニール、ポリエチレン、ゴム、Ｅ．　Ｖ．　Ａ．　などのシートで構成され、第１種処分場用くぼみ部（２１）における上面を覆うように敷設され、
遮水シート保護マット（４）は、平面方形のマット体（４Ａ）の左端下面に添着された面ファスナーの一方（４Ｂ）と右端上面に添着された面ファスナーの他方（４Ｃ）とから構成され、処分場用くぼみ部（２１）の内面に敷設された遮水シート（３１）における前後左右の壁面の上面に、当該遮水シート保護マット（４）の上端が第１種処分場くぼみ部（２１）の縁部（２Ｇ）を覆い、下端が中間溝（２Ｉ）内に達する状態で隙間のないように連結して敷設され、
下方遮水シート保護マット（４１）は、平面方形のマット体（４Ａ）の左端下面に添着された面ファスナーの一方（４Ｂ）と右端上面に添着された面ファスナーの他方（４Ｃ）とから構成され、処分場用くぼみ部（２１）の内面に敷設された遮水シート（３１）における前後左右の壁面の上面に、当該下方遮水シート保護マット（４１）の上端が中間溝（２Ｉ）内に入り、下端が第１種処分場用くぼみ部（２）の底面（２１Ａ）に達する状態で隙間のないように連結して敷設され、
補強シート（５）の構成は、平面方形の不織布などでなるシート体（５Ａ）の上面に、当該シート体（５Ａ）の右方露出縁（５Ａ１）を設けた状態でラミネートされた合成樹脂（５Ｂ）で構成され、当該補強シート（５）の下端は断面逆台形状の中間溝（２Ｉ）内に達するよう構成され、
下方補強シート（５１）は、平面方形の不織布などでなるシート体（５Ａ）の上面に、当該シート体（５Ａ）の右方露出縁（５Ａ１）を設けた状態でラミネートされた合成樹脂（５Ｂ）で構成され、第１種処分場用くぼみ部（２１）の内面に敷設された下方遮水シート保護マット（４１）のうち前後の下方壁面（２１Ｂ、２１Ｃ）、左右の下方壁面（２１Ｄ、２１Ｅ）に対応する部分の上面に位置し、当該下方補強シート（５１）の上端を中間溝（２Ｉ）内に入れ、下端が第１種処分場用くぼみ部（２１）の底面（２１Ａ）に達するよう積層され、
土砂（７）は、下方補強シート（５１）を積層後、所定の厚さで敷き詰められていることを特徴とする廃棄物の処分場。
【請求項４】
遮水シート保護マット（４）と補強シート（５）を、３スパン間隔で溶着機を利用して溶着したり、合成樹脂を熱硬化させて溶着し、また、下方遮水シート保護マット（４１）と下方補強シート（５１）を、３スパン間隔で溶着機を利用して溶着したり、合成樹脂を熱硬化させて溶着した請求項３記載の廃棄物の処分場。
【請求項５】
処分場用くぼみ部の法面を遮水シートと遮水シート保護マットで処理したのち、遮水シート保護マットの上面に、当該遮水シート保護マットとは所定間隔を保持する状態で所定網目を有する鳥獣防止ネットを張るよう構成したことを特徴とする廃棄物の処分場。
【請求項６】
処分場用くぼみ部（２）と、遮水シート（３）と、遮水シート保護マット（４）と、ネット用空間保持具（６）と、鳥獣防止ネット（８）と、土砂（７）から構成され、
処分場用くぼみ部（２）は、底面（２Ａ）と、　この底面の前後に連設された前後の壁面（２Ｂ、２Ｃ）と、左右に連設された左右の壁面（２Ｄ、２Ｅ）とから構成され、処分場用くぼみ部（２）の外周には、土盛された縁部（２Ｆ）を介して断面逆台形状の溝（２Ｇ）が形成され、
遮水シート（３）は、塩化ビニール、ポリエチレン、ゴム、Ｅ．　Ｖ．　Ａ．　などのシートで構成され、処分場用くぼみ部（２）における上面を覆うように敷設され、
遮水シート保護マット（４）は、平面方形のマット体（４Ａ）の左端下面に添着された面ファスナーの一方（４Ｂ）と右端上面に添着された面ファスナーの他方（４Ｃ）とから構成され、処分場用くぼみ部の内面に敷設された遮水シート（３）における前後左右の壁面の上面に隙間のないように連結して敷設され、
ネット用空間保持具（６、６．．）は、所定長さのロープ（６Ａ）と、このロープに所定間隔をもって結束固定した網空間保持体（６Ｂ、６Ｂ．．）から構成され、ロープが法面の最下端まで下げられ、網空間保持体（６Ｂ）は、合成樹脂材を素材とする円筒体あるいは角筒体で構成され、
鳥獣防止ネット（８）は、平面方形の枠（８Ａ）にネット（８Ｂ）を張って構成され、遮水シート保護マット（４）上に並列状態で配置されたネット用空間保持具（６、６．．）を覆う状態に設置され、
土砂（７）は、鳥獣防止ネット（８）を張設後、所定の厚さで敷き詰められていることを特徴とする廃棄物の処分場。
【請求項７】
網空間保持体の側壁を、網状に構成したもの（６Ｂ１）、スパイラル状に構成したもの（６Ｂ２）、蛇腹状に構成したもの（６Ｂ３）、格子状に構成したもの（６Ｂ４）のいずれかに構成されている請求項６記載の廃棄物の処分場。
【請求項８】
網空間保持体の高さは１００ｍｍ程度、長さは２００ｍｍ程度である請求項６記載の廃棄物の処分場。
【請求項９】
鳥獣防止ネットなどの材質は、紫外線に強い耐候性に優れているポリエチレン、ポリエステルなどのほか、他にナイロン、ポリアラミドなど合成繊維や炭素繊維やゴムのように伸びる性質の素材で構成されている請求項６記載の廃棄物の処分場。
【請求項１０】
鳥獣防止ネットの網目の寸法は３０ｍｍ×３０ｍｍ程度〜２００ｍｍ×２００ｍｍ程度である請求項５あるいは請求項６記載の廃棄物の処分場。
【請求項１１】
第１種処分場用くぼみ部（２１）と、第１種遮水シート（３１）と、遮水シート保護マット（４）と、下方遮水シート保護マット（４１）と、ネット用空間保持具（６）と、下方ネット用空間保持具（６１）と、鳥獣防止ネット（８）と、下方鳥獣防止ネット（８１）と、土砂（７）から構成され、第１種処分場用くぼみ部（２１）は、底面（２１Ａ）と、　この底面の前後に連設された前後の下方壁面（２１Ｂ、２１Ｃ）と、左右に連設された左右の下方壁面（２１Ｄ、２１Ｅ）と、これら壁面の上端に形成された中間天場（２Ｈ）と、この中間天場（２Ｈ）に形成された断面逆台形状の中間溝（２Ｉ）と、中間溝（２Ｉ）に上方に向け連設された前後の壁面（２Ｂ、２Ｃ）と、左右の壁面（２Ｄ、２Ｅ）と、これら前後の壁面（２Ｂ、２Ｃ）と左右の壁面（２Ｄ、２Ｅ）の外周に、土盛された縁部（２Ｆ）を介して形成された断面逆台形状の中間溝（２Ｇ）から構成され、
第１種遮水シート（３１）は、塩化ビニール、ポリエチレン、ゴム、Ｅ．　Ｖ．　Ａ．　などのシートで構成され、第１種処分場用くぼみ部（２１）における上面を覆うように敷設され、
遮水シート保護マット（４）は、平面方形のマット体（４Ａ）の左端下面に添着された面ファスナーの一方（４Ｂ）と右端上面に添着された面ファスナーの他方（４Ｃ）とから構成され、処分場用くぼみ部（２１）の内面に敷設された遮水シート（３１）における前後左右の壁面の上面に、当該下方遮水シート保護マット（４１）の上端が第１種処分場くぼみ部（２１）の縁部（２Ｇ）を覆い、下端が中間溝（２Ｉ）内に達する状態で隙間のないように連結して敷設され、
下方遮水シート保護マット（４１）は、平面方形のマット体（４Ａ）の左端下面に添着された面ファスナーの一方（４Ｂ）と右端上面に添着された面ファスナーの他方（４Ｃ）とから構成され、処分場用くぼみ部（２１）の内面に敷設された遮水シート（３１）における前後左右の壁面の上面に、当該下方遮水シート保護マット（４１）の上端が中間溝（２Ｉ）内に入り、下端が第１種処分場用くぼみ部（２）の底面（２１Ａ）に達する状態で隙間のないように連結して敷設され、
ネット用空間保持具（６、６．．）は、所定長さのロープ（６Ａ）と、このロープに所定間隔をもって結束固定した網空間保持体（６Ｂ、６Ｂ．．）から構成され、ロープが法面の中間溝（２Ｉ）まで下げられ、網空間保持体（６Ｂ）は、合成樹脂材を素材とする円筒体あるいは角筒体で構成され、
下方ネット用空間保持具（６１）は、所定長さのロープ（６Ａ）と、このロープに所定間隔をもって結束固定した網空間保持体（６Ｂ、６Ｂ．．）から構成され、ロープは法面の最下端まで下げられ、網空間保持体（６Ｂ）は、合成樹脂材を素材とする円筒体あるいは角筒体で構成され、
鳥獣防止ネット（８）は、平面方形の枠（８Ａ）にネット（８Ｂ）を張って構成され、遮水シート保護マット（４）上に並列状態で配置されたネット用空間保持具（６、６．．）を覆う状態に設置され、
下方鳥獣防止ネット（８１）は、平面方形の枠（８Ａ）にネット（８Ｂ）を張って構成され、下方遮水シート保護マット（４１）上に並列状態で配置されたネット用空間保持具（６１、６１．．）を覆う状態に設置され、
土砂（７）は、下方補強シート（５１）を引張った後、所定の厚さで敷き詰められることを特徴とする廃棄物の処分場。
【請求項１２】
網空間保持体の側壁を、網状に構成したもの（６Ｂ１）、スパイラル状に構成したもの（６Ｂ２）、蛇腹状に構成したもの（６Ｂ３）、格子状に構成したもの（６Ｂ４）のいずれかに構成されている請求項１１記載の廃棄物の処分場。
【請求項１３】
網空間保持体の高さは１００ｍｍ程度、長さは２００ｍｍ程度に構成された請求項１１記載の廃棄物の処分場。
【請求項１４】
鳥獣防止ネットなどの材質は、紫外線に強い耐候性に優れているポリエチレン、ポリエステルのほかナイロン、ポリアラミドなど合成繊維や炭素繊維やゴムのように伸びる性質の素材で構成されている請求項１１記載の廃棄物の処分場。
【請求項１５】
鳥獣防止ネットの網目の寸法は３０ｍｍ×３０ｍｍ程度〜２００ｍｍ×２００ｍｍ程度である請求項１１記載の廃棄物の処分場。
【請求項１６】
処分場用くぼみ部の法面を遮水シートと遮水シート保護マットと補強シートで処理したのち、補強シートの上面に、当該補強シートとは所定間隔を保持する状態で所定網目を有する鳥獣防止ネットを張るよう構成したことを特徴とする廃棄物の処分場。
【請求項１７】
処分場用くぼみ部（２）と、遮水シート（３）と、遮水シート保護マット（４）と、補強シート（５）と、ネット用空間保持具（６）と、鳥獣防止ネット（８）と、土砂（７）から構成され、
処分場用くぼみ部（２）は、底面（２Ａ）と、　この底面の前後に連設された前後の壁面（２Ｂ、２Ｃ）と、左右に連設された左右の壁面（２Ｄ、２Ｅ）とから構成され、処分場用くぼみ部（２）の外周には、土盛された縁部（２Ｆ）を介して断面逆台形状の溝（２Ｇ）が形成され、
遮水シート（３）は、塩化ビニール、ポリエチレン、ゴム、Ｅ．　Ｖ．　Ａ．　などのシートで構成され、処分場用くぼみ部（２）における上面を覆うように敷設され、
遮水シート保護マット（４）は、平面方形のマット体（４Ａ）の左端下面に添着された面ファスナーの一方（４Ｂ）と右端上面に添着された面ファスナーの他方（４Ｃ）とから構成され、処分場用くぼみ部の内面に敷設された遮水シート（３）における前後左右の壁面の上面に、当該遮水シート保護マット（４）の上端が処分場くぼみ部（２）の縁部（２Ｇ）を覆い、下端が処分場用くぼみ部（２）の底面（２Ａ）に達する状態で隙間のないように連結して敷設され、
補強シート（５）は、平面方形の不織布などでなるシート体（５Ａ）の上面に位置し、当該シート体（５Ａ）の右方露出縁（５Ａ１）を設けた状態でラミネートされた合成樹脂（５Ｂ）で構成され、処分場用くぼみ部（２）の内面に敷設された遮水シート保護マット（４）における前後の壁面、左右の壁面の上面に位置し、下端が処分場用くぼみ部（２）の底面（２Ａ）に達するよう積層され、
ネット用空間保持具（６、６．．）は、所定長さのロープ（６Ａ）と、このロープに所定間隔をもって結束固定した網空間保持体（６Ｂ、６Ｂ．．）から構成され、ロープは法面の最下端まで下げられ、網空間保持体（６Ｂ）は、合成樹脂材を素材とする円筒体あるいは角筒体で構成され、
鳥獣防止ネット（８）は、平面方形の枠（８Ａ）にネット（８Ｂ）を張って構成され、補強シート（５）上に並列状態で配置されたネット用空間保持具（６、６．．）を覆う状態に設置され、
土砂（７）は、鳥獣防止ネット（８）を張設後、所定の厚さで敷き詰められていることを特徴とする廃棄物の処分場。
【請求項１８】
遮水シート保護マット（４）と補強シート（５）を、３スパン間隔で溶着機を利用して溶着したり、合成樹脂を熱硬化させて溶着されている請求項１７記載の廃棄物の処分場。
【請求項１９】
網空間保持体の側壁を、網状に構成したもの（６Ｂ１）、スパイラル状に構成したもの（６Ｂ２）、蛇腹状に構成したもの（６Ｂ３）、格子状に構成したもの（６Ｂ４）のいずれかに構成されている請求項１７記載の廃棄物の処分場。
【請求項２０】
網空間保持体の高さは１００ｍｍ程度、長さは２００ｍｍ程度である請求項１７記載の廃棄物の処分場。
【請求項２１】
鳥獣防止ネットなどの材質は、紫外線に強い耐候性に優れているポリエチレン、ポリエステルなどのほか、他にナイロン、ポリアラミドなど合成繊維や炭素繊維やゴムのように伸びる性質の素材で構成されている請求項１７記載の廃棄物の処分場。
【請求項２２】
鳥獣防止ネットの網目の寸法は３０ｍｍ×３０ｍｍ程度〜２００ｍｍ×２００ｍｍ程度である請求項１６あるいは請求項１７記載の廃棄物の処分場。
【請求項２３】
第１種処分場用くぼみ部（２１）と、第１種遮水シート（３１）と、遮水シート保護マット（４）と、下方遮水シート保護マット（４１）と、補強シート（５）と、下方補強シート（５１）と、ネット用空間保持具（６）と、下方ネット用空間保持具（６１）と、鳥獣防止ネット（８）と、下方鳥獣防止ネット（８１）と、土砂（７）から構成され、
第１種処分場用くぼみ部（２１）は、底面（２１Ａ）と、　この底面の前後に連設された前後の下方壁面（２１Ｂ、２１Ｃ）と、左右に連設された左右の下方壁面（２１Ｄ、２１Ｅ）と、これら壁面の上端に形成された中間天場（２Ｈ）と、この中間天場（２Ｈ）に形成された断面逆台形状の中間溝（２Ｉ）と、中間溝（２Ｉ）に上方に向け連設された前後の壁面（２Ｂ、２Ｃ）と、左右の壁面（２Ｄ、２Ｅ）と、これら前後の壁面（２Ｂ、２Ｃ）と左右の壁面（２Ｄ、２Ｅ）の外周に、土盛された縁部（２Ｆ）を介して形成された断面逆台形状の溝（２Ｇ）から構成され、
第１種遮水シート（３１）は、塩化ビニール、ポリエチレン、ゴム、Ｅ．　Ｖ．　Ａ．　などのシートで構成され、第１種処分場用くぼみ部（２１）における上面を覆うように敷設され、
遮水シート保護マット（４）は、平面方形のマット体（４Ａ）の左端下面に添着された面ファスナーの一方（４Ｂ）と右端上面に添着された面ファスナーの他方（４Ｃ）とから構成され、処分場用くぼみ部（２１）の内面に敷設された遮水シート（３１）における前後左右の壁面の上面に、当該遮水シート保護マット（４）の上端が第１種処分場くぼみ部（２１）の縁部（２Ｇ）を覆い、下端が中間溝（２Ｉ）内に達する状態で隙間のないように連結して敷設され、
下方遮水シート保護マット（４１）は、平面方形のマット体（４Ａ）の左端下面に添着された面ファスナーの一方（４Ｂ）と右端上面に添着された面ファスナーの他方（４Ｃ）とから構成され、処分場用くぼみ部（２１）の内面に敷設された遮水シート（３１）における前後左右の壁面の上面に、当該下方遮水シート保護マット（４１）の上端が中間溝（２Ｉ）内に入り、下端が第１種処分場用くぼみ部（２）の底面（２１Ａ）に達する状態で隙間のないように連結して敷設され、
補強シート（５）は、平面方形の不織布などでなるシート体（５Ａ）の上面に位置し、当該シート体（５Ａ）の右方露出縁（５Ａ１）を設けた状態でラミネートされた合成樹脂（５Ｂ）で構成され、処分場用くぼみ部（２）の内面に敷設された遮水シート保護マット（４）における前後の壁面、左右の壁面の上面に位置し、下端が中間溝（２Ｉ）に達するよう積層され、
下方補強シート（５１）は、平面方形の不織布などでなるシート体（５Ａ）の上面に位置し、当該シート体（５Ａ）の右方露出縁（５Ａ１）を設けた状態でラミネートされた合成樹脂（５Ｂ）で構成され、第１種処分場用くぼみ部（２１）の内面に敷設された下方遮水シート保護マット（４１）の前後の下方壁面（２１Ｂ、２１Ｃ）、左右の下方壁面（２１Ｄ、２１Ｅ）に対応する部分の上面に位置し、当該下方補強シート（５１）の上端を中間溝（２Ｉ）内に入れ、下端が第１種処分場用くぼみ部（２１）の底面（２１Ａ）に達するよう積層され、
ネット用空間保持具（６、６．．）は、所定長さのロープ（６Ａ）と、このロープに所定間隔をもって結束固定した網空間保持体（６Ｂ、６Ｂ．．）から構成され、ロープが法面の中間溝（２Ｉ）まで下げられ、網空間保持体（６Ｂ）は、合成樹脂材を素材とする円筒体あるいは角筒体で構成され、
下方ネット用空間保持具（６１）は、所定長さのロープ（６Ａ）と、このロープに所定間隔をもって結束固定した網空間保持体（６Ｂ、６Ｂ．．）から構成され、ロープは法面の最下端まで下げられ、網空間保持体（６Ｂ）は、合成樹脂材を素材とする円筒体あるいは角筒体で構成され、
鳥獣防止ネット（８）は、平面方形の枠（８Ａ）にネット（８Ｂ）を張って構成され、遮水シート保護マット（４）上に並列状態で配置されたネット用空間保持具（６、６．．）を覆う状態に設置され、
下方鳥獣防止ネット（８１）は、平面方形の枠（８Ａ）にネット（８Ｂ）を張って構成され、下方補強シート（５１）上に並列状態で配置された下方ネット用空間保持具（６１、６１．．）を覆う状態に設置され、
土砂（７）は、下方鳥獣防止ネット（８１）を引張った後、所定の厚さで敷き詰められていることを特徴とする廃棄物の処分場。
【請求項２４】
遮水シート保護マット（４）と補強シート（５）を、３スパン間隔でライスターなどの溶着機を利用して溶着したり、合成樹脂を熱硬化させて溶着し、また、下方遮水シート保護マット（４１）と下方補強シート（５１）を、３スパン間隔でライスターなどの溶着機を利用して溶着したり、合成樹脂を熱硬化させて溶着されている請求項２３記載の廃棄物の処分場。
【請求項２５】
網空間保持体の側壁を、網状に構成したもの（６Ｂ１）、スパイラル状に構成したもの（６Ｂ２）、蛇腹状に構成したもの（６Ｂ３）、格子状に構成したもの（６Ｂ４）のいずれかに構成されている請求項２３記載の廃棄物の処分場。
【請求項２６】
網空間保持体の高さは１００ｍｍ程度、長さは２００ｍｍ程度である請求項２３記載の廃棄物の処分場。
【請求項２７】
鳥獣防止ネットの網目の寸法は３０ｍｍ×３０ｍｍ程度〜２００ｍｍ×２００ｍｍ程度である請求項２３記載の廃棄物の処分場。
【発明の詳細な説明】
【０００１】
【発明の属する技術分野】
本発明は、新規な構成を有する廃棄物の処分場に係るもので、詳しくは一般廃棄物及び建設現場などから出るコンクリート、鉄筋などの産業廃棄物や大型ゴミ（以下廃棄物という）の捨て場（以下処分場という）で発生する排出水や汚水が、地下及び地下水に浸透しないように敷設するのに好適な廃棄物の遮水処分場に関するものである。
【０００２】
【従来の技術】
従来、この種のものにあっては下記のようなものになっている。
廃棄物の処分場は地下及び地下水への悪影響が出ないように、塩化ビニール、ゴム、ポリエチレン、Ｅ．　Ｖ．　Ａ．　などの遮水シートが敷設され、　紫外線などから遮水シートを保護するマット類を敷設するのが一般化しつつある。
そして、この場合の使用状態は下記のように行われている。
第１の使用状態〜ゴミが搬入されるまでそのまま放置されている。
第２の使用状態〜ゴミの搬入が開始されると、鳥獣が処分場内に集まり悪さをする。
【０００３】
【発明が解決しようとする課題】
従来の技術で述べたものにあっては、下記のような問題点を有していた。
第１の使用状態〜
早い時期にゴミで埋まる状態であれば遮水シートの保護マットの物性や強度性に問題は無いと思われるが、バブル時代の大量のゴミの反省からか、最近ではゴミの減量化が進んで処分場の延命化が図られ、一つの処分場が埋まるのに１０〜１５年もしくはそれ以上かかるようになってきた。
その結果、遮水シート表面に設置された保護マットは長時間紫外線ばかりでなく、風雨、雪などによる荷重を受けることになり、その物性値や強度が次第に低下していくことになる。この場合、強度の低下した場所の大々的な補修が必要となる。
第２の使用状態〜
鳥が処分場に群がっている状態はどこへ行っても同じであるが、ゴミをあさるばかりでなく、保護マットを破損させている。
これは遮水シートだけの処分場でシートを破損させていたことから考えると悪戯とは考えられない。
鳥類（処分場に多いのはカラス、トンビ、カモメ等であるが）には超音波なり、人間でいうところの第６感なりの視覚以外の特殊な能力によって、シートやマットの裏にいる昆虫類やミミズなどを察知できて、それを得る為にシートやマットを破損させていると思われる。
長期間ゴミの搬入の無い場所は被害が多くなり、大々的な補修が必要となる。
処分場では毎年大量にカラスを捕獲し処分しているのが実情である。
このような保護マットの敷設されている処分場にゴミが搬入されると、遮水シートを破損させ、排出水、汚水などが地下及び地下水に浸透し重大な公害を引き起こし、しいては自然環境に多大の悪影響を与えることになる。
【０００４】
本発明は、従来の技術の有するこのような問題点に鑑みなされたものであり、その目的とするところは、上述の問題を解決できるものを提供しようとするものである。
【０００５】
【課題を解決するための手段】
上記目的を達成するために、本発明は下記のようになるものである。
請求項１記載の発明は、処分場用くぼみ部２と、遮水シート３と、遮水シート保護マット４と、補強シート５と、土砂７から構成され、
Ａ．処分場用くぼみ部２は、底面２Ａと、　この底面の前後に連設された前後の壁面２Ｂ、２Ｃと、左右に連設された左右の壁面２Ｄ、２Ｅとから構成され、処分場用くぼみ部２の外周には、土盛された縁部２Ｆを介して断面逆台形状の溝２Ｇが形成され、
Ｂ．遮水シート３は、塩化ビニール、ポリエチレン、ゴム、Ｅ．　Ｖ．　Ａ．　などのシートで構成され、処分場用くぼみ部２における上面に敷設され、
Ｃ．遮水シート保護マット４は、平面方形のマット体４Ａの左端下面に添着された面ファスナーの一方４Ｂと右端上面に添着された面ファスナーの他方４Ｃとから構成され、処分場用くぼみ部の内面に敷設された遮水シート３における前後左右の壁面の上面に隙間のないように連結して敷設され、
Ｄ．補強シート５は、平面方形の不織布などでなるシート体５Ａの上面に、当該シート体５Ａの右方露出縁５Ａ１を設けた状態でラミネートされた合成樹脂５Ｂで構成され、処分場用くぼみ部２の内面に敷設された遮水シート保護マット４における上面に積層され、
Ｅ．土砂７は、補強シート５を積層後、所定の厚さで敷き詰められていることを特徴とするものである。
【０００６】
請求項２記載の発明は、請求項１記載の発明において、遮水シート保護マット４と補強シート５を、３スパン間隔で溶着機を利用して溶着したり、合成樹脂を熱硬化させて溶着したことを特徴とするものである。
【０００７】
請求項３記載の発明は、第１種処分場用くぼみ部２１と、第１種遮水シート３１と、遮水シート保護マット４と、下方遮水シート保護マット４１と、補強シート５と、下方補強シート５１と、土砂７から構成され、
Ａ．第１種処分場用くぼみ部２１は、底面２１Ａと、　この底面の前後に連設された前後の下方壁面２１Ｂ、２１Ｃと、左右に連設された左右の下方壁面２１Ｄ、２１Ｅと、これら壁面の上端に形成された中間天場２Ｈと、この中間天場２Ｈに形成された断面逆台形状の中間溝２Ｉと、中間溝２Ｉに上方に向け連設された前後の壁面２Ｂ、２Ｃと、左右の壁面２Ｄ、２Ｅと、これら前後の壁面２Ｂ、２Ｃと左右の壁面２Ｄ、２Ｅの外周に、土盛された縁部２Ｆを介して形成された断面逆台形状の溝２Ｇから構成され、
Ｂ．第１種遮水シート３１は、塩化ビニール、ポリエチレン、ゴム、Ｅ．　Ｖ．　Ａ．　などのシートで構成され、第１種処分場用くぼみ部２１における上面を覆うように敷設され、
Ｃ．遮水シート保護マット４は、平面方形のマット体４Ａの左端下面に添着された面ファスナーの一方４Ｂと右端上面に添着された面ファスナーの他方４Ｃとから構成され、処分場用くぼみ部２１の内面に敷設された遮水シート３１における前後左右の壁面の上面に、当該遮水シート保護マット４の上端が第１種処分場くぼみ部２１の縁部２Ｇを覆い、下端が中間溝２Ｉ内に達する状態で隙間のないように連結して敷設され、
Ｄ．下方遮水シート保護マット４１は、平面方形のマット体４Ａの左端下面に添着された面ファスナーの一方４Ｂと右端上面に添着された面ファスナーの他方４Ｃとから構成され、処分場用くぼみ部２１の内面に敷設された遮水シート３１における前後左右の壁面の上面に、当該下方遮水シート保護マット４１の上端が中間溝２Ｉ内に入り、下端が第１種処分場用くぼみ部２の底面２１Ａに達する状態で隙間のないように連結して敷設され、
Ｅ．補強シート５の構成は、平面方形の不織布などでなるシート体５Ａの上面に、当該シート体５Ａの右方露出縁５Ａ１を設けた状態でラミネートされた合成樹脂５Ｂで構成され、当該補強シート５の下端は断面逆台形状の中間溝２Ｉ内に達するよう構成され、
Ｆ．下方補強シート５１は、平面方形の不織布などでなるシート体５Ａの上面に、当該シート体５Ａの右方露出縁５Ａ１を設けた状態でラミネートされた合成樹脂５Ｂで構成され、第１種処分場用くぼみ部２１の内面に敷設された下方遮水シート保護マット４１のうち前後の下方壁面２１Ｂ、２１Ｃ、左右の下方壁面２１Ｄ、２１Ｅに対応する部分の上面に位置し、当該下方補強シート５１の上端を中間溝２Ｉ内に入れ、下端が第１種処分場用くぼみ部２１の底面２１Ａに達するよう積層され、
Ｇ．土砂７は、下方補強シート５１を積層後、所定の厚さで敷き詰められていることを特徴とするものである。
【０００８】
請求項４記載の発明は、請求項３記載の発明において、遮水シート保護マット４と補強シート５を、３スパン間隔で溶着機を利用して溶着したり、合成樹脂を熱硬化させて溶着し、また、下方遮水シート保護マット４１と下方補強シート５１を、３スパン間隔で溶着機を利用して溶着したり、合成樹脂を熱硬化させて溶着したことを特徴とするものである。
【０００９】
請求項５記載の発明は、処分場用くぼみ部の法面を遮水シートと遮水シート保護マットで処理したのち、遮水シート保護マットの上面に、当該遮水シート保護マットとは所定間隔を保持する状態で所定網目を有する鳥獣防止ネットを張るよう構成したことを特徴とするものである。
【００１０】
請求項６記載の発明は、処分場用くぼみ部２と、遮水シート３と、遮水シート保護マット４と、ネット用空間保持具６と、鳥獣防止ネット８と、土砂７から構成され、
Ａ．処分場用くぼみ部２は、底面２Ａと、　この底面の前後に連設された前後の壁面２Ｂ、２Ｃと、左右に連設された左右の壁面２Ｄ、２Ｅとから構成され、処分場用くぼみ部２の外周には、土盛された縁部２Ｆを介して断面逆台形状の溝２Ｇが形成され、
Ｂ．遮水シート３は、塩化ビニール、ポリエチレン、ゴム、Ｅ．　Ｖ．　Ａ．　などのシートで構成され、処分場用くぼみ部２における上面を覆うように敷設され、
Ｃ．遮水シート保護マット４は、平面方形のマット体４Ａの左端下面に添着された面ファスナーの一方４Ｂと右端上面に添着された面ファスナーの他方４Ｃとから構成され、処分場用くぼみ部の内面に敷設された遮水シート３における前後左右の壁面の上面に隙間のないように連結して敷設され、
Ｄ．ネット用空間保持具６、６．．は、所定長さのロープ６Ａと、このロープに所定間隔をもって結束固定した網空間保持体６Ｂ、６Ｂ．．から構成され、
ロープが法面の最下端まで下げられ、網空間保持体６Ｂは、合成樹脂材を素材とする円筒体あるいは角筒体で構成され、
Ｅ．鳥獣防止ネット８は、平面方形の枠８Ａにネット８Ｂを張って構成され、遮水シート保護マット４上に並列状態で配置されたネット用空間保持具６、６．．を覆う状態に設置され、
Ｆ．土砂７は、鳥獣防止ネット８を張設後、所定の厚さで敷き詰められていることを特徴とするものである。
【００１１】
請求項７記載の発明は、請求項６記載の発明において、網空間保持体の側壁を、網状に構成したもの６Ｂ１、スパイラル状に構成したもの６Ｂ２、蛇腹状に構成したもの６Ｂ３、格子状に構成したもの６Ｂ４のいずれかに構成されていることを特徴とするものである。
【００１２】
請求項８記載の発明は、請求項６記載の発明において、網空間保持体の高さは１００ｍｍ程度、長さは２００ｍｍ程度であることを特徴とするものである。
【００１３】
請求項９記載の発明は、請求項６記載の発明において、鳥獣防止ネットなどの材質は、紫外線に強い耐候性に優れているポリエチレン、ポリエステルなどのほか、他にナイロン、ポリアラミドなど合成繊維や炭素繊維やゴムのように伸びる性質の素材で構成されていることを特徴とするものである。
【００１４】
請求項１０記載の発明は、請求項５あるいは請求項６記載の発明において、網目の寸法は３０ｍｍ×３０ｍｍ程度〜２００ｍｍ×２００ｍｍ程度であることを特徴とするものである。
【００１５】
請求項１１記載の発明は、第１種処分場用くぼみ部２１と、第１種遮水シート３１と、遮水シート保護マット４と、下方遮水シート保護マット４１と、ネット用空間保持具６と、下方ネット用空間保持具６１と、鳥獣防止ネット８と、下方鳥獣防止ネット８１と、土砂７から構成され、
Ａ．第１種処分場用くぼみ部２１は、底面２１Ａと、　この底面の前後に連設された前後の下方壁面２１Ｂ、２１Ｃと、左右に連設された左右の下方壁面２１Ｄ、２１Ｅと、これら壁面の上端に形成された中間天場２Ｈと、この中間天場２Ｈに形成された断面逆台形状の中間溝２Ｉと、中間溝２Ｉに上方に向け連設された前後の壁面２Ｂ、２Ｃと、左右の壁面２Ｄ、２Ｅと、これら前後の壁面２Ｂ、２Ｃと左右の壁面２Ｄ、２Ｅの外周に、土盛された縁部２Ｆを介して形成された断面逆台形状の中間溝２Ｇから構成され、
Ｂ．第１種遮水シート３１は、塩化ビニール、ポリエチレン、ゴム、Ｅ．　Ｖ．　Ａ．　などのシートで構成され、第１種処分場用くぼみ部２１における上面を覆うように敷設され、
Ｃ．遮水シート保護マット４は、平面方形のマット体４Ａの左端下面に添着された面ファスナーの一方４Ｂと右端上面に添着された面ファスナーの他方４Ｃとから構成され、処分場用くぼみ部２１の内面に敷設された遮水シート３１における前後左右の壁面の上面に、当該下方遮水シート保護マット４１の上端が第１種処分場くぼみ部２１の縁部２Ｇを覆い、下端が中間溝２Ｉ内に達する状態で隙間のないように連結して敷設され、
Ｄ．下方遮水シート保護マット４１は、平面方形のマット体４Ａの左端下面に添着された面ファスナーの一方４Ｂと右端上面に添着された面ファスナーの他方４Ｃとから構成され、処分場用くぼみ部２１の内面に敷設された遮水シート３１における前後左右の壁面の上面に、当該下方遮水シート保護マット４１の上端が中間溝２Ｉ内に入り、下端が第１種処分場用くぼみ部２の底面２１Ａに達する状態で隙間のないように連結して敷設され、
Ｅ．ネット用空間保持具６、６．．は、所定長さのロープ６Ａと、このロープに所定間隔をもって結束固定した網空間保持体６Ｂ、６Ｂ．．から構成され、ロープが法面の中間溝２Ｉまで下げられ、網空間保持体６Ｂは、合成樹脂材を素材とする円筒体あるいは角筒体で構成され、
Ｆ．下方ネット用空間保持具６１は、所定長さのロープ６Ａと、このロープに所定間隔をもって結束固定した網空間保持体６Ｂ、６Ｂ．．から構成され、ロープは法面の最下端まで下げられ、網空間保持体６Ｂは、合成樹脂材を素材とする円筒体あるいは角筒体で構成され、
Ｇ．鳥獣防止ネット８は、平面方形の枠８Ａにネット８Ｂを張って構成され、遮水シート保護マット４上に並列状態で配置されたネット用空間保持具６、６．．を覆う状態に設置され、
Ｈ．下方鳥獣防止ネット８１は、平面方形の枠８Ａにネット８Ｂを張って構成され、下方遮水シート保護マット４１上に並列状態で配置されたネット用空間保持具６１、６１．．を覆う状態に設置され、
Ｉ．土砂７は、下方補強シート５１を引張った後、所定の厚さで敷き詰められることを特徴とするものである。
【００１６】
請求項１２記載の発明は、請求項１１記載の発明において、網空間保持体の側壁を、網状に構成したもの６Ｂ１、スパイラル状に構成したもの６Ｂ２、蛇腹状に構成したもの６Ｂ３、格子状に構成したもの６Ｂ４のいずれかに構成されていることを特徴とするものである。
【００１７】
請求項１３記載の発明は、請求項１１記載の発明において、網空間保持体の高さは１００ｍｍ程度、長さは２００ｍｍ程度に構成されたことを特徴とするものである。
【００１８】
請求項１４記載の発明は、請求項１１記載の発明において、鳥獣防止ネットなどの材質は、紫外線に強い耐候性に優れているポリエチレン、ポリエステルのほかナイロン、ポリアラミドなど合成繊維や炭素繊維やゴムのように伸びる性質の素材で構成されていることを特徴とするものである。
【００１９】
請求項１５記載の発明は、請求項１１記載の発明において、鳥獣防止ネットの網目の寸法は３０ｍｍ×３０ｍｍ程度〜２００ｍｍ×２００ｍｍ程度であることを特徴とするものである。
【００２０】
請求項１６記載の発明は、処分場用くぼみ部の法面を遮水シートと遮水シート保護マットと補強シートで処理したのち、補強シートの上面に、当該補強シートとは所定間隔を保持する状態で所定網目を有する鳥獣防止ネットを張るよう構成したことを特徴とするものである。
【００２１】
請求項１７記載の発明は、処分場用くぼみ部２と、遮水シート３と、遮水シート保護マット４と、補強シート５と、ネット用空間保持具６と、鳥獣防止ネット８と、土砂７から構成され、
Ａ．処分場用くぼみ部２は、底面２Ａと、　この底面の前後に連設された前後の壁面２Ｂ、２Ｃと、左右に連設された左右の壁面２Ｄ、２Ｅとから構成され、処分場用くぼみ部２の外周には、土盛された縁部２Ｆを介して断面逆台形状の溝２Ｇが形成され、
Ｂ．遮水シート３は、塩化ビニール、ポリエチレン、ゴム、Ｅ．　Ｖ．　Ａ．　などのシートで構成され、処分場用くぼみ部２における上面を覆うように敷設され、
Ｃ．遮水シート保護マット４は、平面方形のマット体４Ａの左端下面に添着された面ファスナーの一方４Ｂと右端上面に添着された面ファスナーの他方４Ｃとから構成され、処分場用くぼみ部の内面に敷設された遮水シート３における前後左右の壁面の上面に、当該遮水シート保護マット４の上端が処分場くぼみ部２の縁部２Ｇを覆い、下端が処分場用くぼみ部２の底面２Ａに達する状態で隙間のないように連結して敷設され、
Ｄ．補強シート５は、平面方形の不織布などでなるシート体５Ａの上面に位置し、当該シート体５Ａの右方露出縁５Ａ１を設けた状態でラミネートされた合成樹脂５Ｂで構成され、処分場用くぼみ部２の内面に敷設された遮水シート保護マット４における前後の壁面、左右の壁面の上面に位置し、下端が処分場用くぼみ部２の底面２Ａに達するよう積層され、
Ｅ．ネット用空間保持具６、６．．は、所定長さのロープ６Ａと、このロープに所定間隔をもって結束固定した網空間保持体６Ｂ、６Ｂ．．から構成され、ロープは法面の最下端まで下げられ、網空間保持体６Ｂは、合成樹脂材を素材とする円筒体あるいは角筒体で構成され、
Ｆ．鳥獣防止ネット８は、平面方形の枠８Ａにネット８Ｂを張って構成され、補強シート５上に並列状態で配置されたネット用空間保持具６、６．．を覆う状態に設置され、
Ｇ．土砂７は、鳥獣防止ネット８を張設後、所定の厚さで敷き詰められていることを特徴とするものである。
【００２２】
請求項１８記載の発明は、請求項１７記載の発明において、遮水シート保護マット４と補強シート５を、３スパン間隔で溶着機を利用して溶着したり、合成樹脂を熱硬化させて溶着されていることを特徴とするものである。
【００２３】
請求項１９記載の発明は、請求項１７記載の発明において、網空間保持体の側壁を、網状に構成したもの６Ｂ１、スパイラル状に構成したもの６Ｂ２、蛇腹状に構成したもの６Ｂ３、格子状に構成したもの６Ｂ４のいずれかに構成されていることを特徴とするものである。
【００２４】
請求項２０記載の発明は、請求項１７記載の発明において、網空間保持体の高さは１００ｍｍ程度、長さは２００ｍｍ程度であることを特徴とするものである。
【００２５】
請求項２１記載の発明は、請求項１７記載の発明において、鳥獣防止ネットなどの材質は、紫外線に強い耐候性に優れているポリエチレン、ポリエステルなどのほか、他にナイロン、ポリアラミドなど合成繊維や炭素繊維やゴムのように伸びる性質の素材で構成されていることを特徴とするものである。
【００２６】
請求項２２記載の発明は、請求項１６あるいは請求項１７記載の発明において、鳥獣防止ネットの網目の寸法は３０ｍｍ×３０ｍｍ程度〜２００ｍｍ×２００ｍｍ程度であることを特徴とするものである。
【００２７】
請求項２３記載の発明は、第１種処分場用くぼみ部２１と、第１種遮水シート３１と、遮水シート保護マット４と、下方遮水シート保護マット４１と、補強シート５と、下方補強シート５１と、ネット用空間保持具６と、下方ネット用空間保持具６１と、鳥獣防止ネット８と、下方鳥獣防止ネット８１と、土砂７から構成され、
Ａ．第１種処分場用くぼみ部２１は、底面２１Ａと、　この底面の前後に連設された前後の下方壁面２１Ｂ、２１Ｃと、左右に連設された左右の下方壁面２１Ｄ、２１Ｅと、これら壁面の上端に形成された中間天場２Ｈと、この中間天場２Ｈに形成された断面逆台形状の中間溝２Ｉと、中間溝２Ｉに上方に向け連設された前後の壁面２Ｂ、２Ｃと、左右の壁面２Ｄ、２Ｅと、これら前後の壁面２Ｂ、２Ｃと左右の壁面２Ｄ、２Ｅの外周に、土盛された縁部２Ｆを介して形成された断面逆台形状の溝２Ｇから構成され、
Ｂ．第１種遮水シート３１は、塩化ビニール、ポリエチレン、ゴム、Ｅ．　Ｖ．　Ａ．　などのシートで構成され、第１種処分場用くぼみ部２１における上面を覆うように敷設され、
Ｃ．遮水シート保護マット４は、平面方形のマット体４Ａの左端下面に添着された面ファスナーの一方４Ｂと右端上面に添着された面ファスナーの他方４Ｃとから構成され、処分場用くぼみ部２１の内面に敷設された遮水シート３１における前後左右の壁面の上面に、当該遮水シート保護マット４の上端が第１種処分場くぼみ部２１の縁部２Ｇを覆い、下端が中間溝２Ｉ内に達する状態で隙間のないように連結して敷設され、
Ｄ．下方遮水シート保護マット４１は、平面方形のマット体４Ａの左端下面に添着された面ファスナーの一方４Ｂと右端上面に添着された面ファスナーの他方４Ｃとから構成され、処分場用くぼみ部２１の内面に敷設された遮水シート３１における前後左右の壁面の上面に、当該下方遮水シート保護マット４１の上端が中間溝２Ｉ内に入り、下端が第１種処分場用くぼみ部２の底面２１Ａに達する状態で隙間のないように連結して敷設され、
Ｅ．補強シート５は、平面方形の不織布などでなるシート体５Ａの上面に位置し、当該シート体５Ａの右方露出縁５Ａ１を設けた状態でラミネートされた合成樹脂５Ｂで構成され、処分場用くぼみ部２の内面に敷設された遮水シート保護マット４における前後の壁面、左右の壁面の上面に位置し、下端が中間溝２Ｉに達するよう積層され、
Ｆ．下方補強シート５１は、平面方形の不織布などでなるシート体５Ａの上面に位置し、当該シート体５Ａの右方露出縁５Ａ１を設けた状態でラミネートされた合成樹脂５Ｂで構成され、第１種処分場用くぼみ部２１の内面に敷設された下方遮水シート保護マット４１の前後の下方壁面２１Ｂ、２１Ｃ、左右の下方壁面２１Ｄ、２１Ｅに対応する部分の上面に位置し、当該下方補強シート５１の上端を中間溝２Ｉ内に入れ、　下端が第１種処分場用くぼみ部２１の底面２１Ａに達するよう積層され、
Ｇ．ネット用空間保持具６、６．．は、所定長さのロープ６Ａと、このロープに所定間隔をもって結束固定した網空間保持体６Ｂ、６Ｂ．．から構成され、ロープが法面の中間溝２Ｉまで下げられ、網空間保持体６Ｂは、合成樹脂材を素材とする円筒体あるいは角筒体で構成され、
Ｈ．下方ネット用空間保持具６１は、所定長さのロープ６Ａと、このロープに所定間隔をもって結束固定した網空間保持体６Ｂ、６Ｂ．．から構成され、ロープは法面の最下端まで下げられ、網空間保持体６Ｂは、合成樹脂材を素材とする円筒体あるいは角筒体で構成され、
Ｉ．鳥獣防止ネット８は、平面方形の枠８Ａにネット８Ｂを張って構成され、遮水シート保護マット４上に並列状態で配置されたネット用空間保持具６、６．．を覆う状態に設置され、
Ｊ．下方鳥獣防止ネット８１は、平面方形の枠８Ａにネット８Ｂを張って構成され、下方補強シート５１上に並列状態で配置された下方ネット用空間保持具６１、６１．．を覆う状態に設置され、
Ｋ．土砂７は、下方鳥獣防止ネット８１を引張った後、所定の厚さで敷き詰められていることを特徴とするものである。
【００２８】
請求項２４記載の発明は、請求項２３記載の発明において、遮水シート保護マット４と補強シート５を、３スパン間隔でライスターなどの溶着機を利用して溶着したり、合成樹脂を熱硬化させて溶着し、また、下方遮水シート保護マット４１と下方補強シート５１を、３スパン間隔でライスターなどの溶着機を利用して溶着したり、合成樹脂を熱硬化させて溶着されていることを特徴とするものである。
【００２９】
請求項２５記載の発明は、請求項２３記載の発明において、網空間保持体の側壁を、網状に構成したもの６Ｂ１、スパイラル状に構成したもの６Ｂ２、蛇腹状に構成したもの６Ｂ３、格子状に構成したもの６Ｂ４のいずれかに構成されていることを特徴とするものである。
【００３０】
請求項２６記載の発明は、請求項２３記載の発明において、網空間保持体の高さは１００ｍｍ程度、長さは２００ｍｍ程度であることを特徴とするものである。
【００３１】
請求項２７記載の発明は、請求項２３記載の発明において、鳥獣防止ネットの網目の寸法は３０ｍｍ×３０ｍｍ程度〜２００ｍｍ×２００ｍｍ程度であることを特徴とするものである。
【００３２】
【発明の実施の形態】
以下、本発明の実施の形態を実施例にもとづき図面を参照して説明する。
１は第１発明の廃棄物の処分場で、処分場用くぼみ部２と、遮水シート３と、遮水シート保護マット４と、補強シート５と、土砂７から構成されている。
Ａ．処分場用くぼみ部２は、底面２Ａと、　この底面の前後に連設された前後の壁面２Ｂ、２Ｃと、左右に連設された左右の壁面２Ｄ、２Ｅとから構成されている。処分場用くぼみ部２の外周には、土盛された縁部２Ｆを介して断面逆台形状の溝２Ｇが形成されている。
図中、２Ｇ１は溝２Ｇの底部、２Ｇ２は溝の内方壁、２Ｇ３は溝の外方壁である。
Ｂ．遮水シート３は、塩化ビニール、ポリエチレン、ゴム、Ｅ．　Ｖ．　Ａ．　などのシートで構成され、処分場用くぼみ部２における底面２Ａ、前後の壁面２Ｂ、２Ｃ、左右の壁面２Ｄ、２Ｅの上面と、処分場用くぼみ部２の縁部２Ｇを覆うように敷設されている。
Ｃ．遮水シート保護マット４は、平面方形のマット体４Ａの左端下面に添着された面ファスナーの一方４Ｂと右端上面に添着された面ファスナーの他方４Ｃとから構成され、処分場用くぼみ部の内面に敷設された遮水シート３における前後左右の壁面の上面に、当該遮水シート保護マット４の上端が処分場くぼみ部２の縁部２Ｇを覆い、下端が処分場用くぼみ部２の底面２Ａに達する状態で並列状態で面ファスナーの一方４Ｂと他方４Ｃを利用しながら、隙間のないように連結して敷設されている。
【００３３】
Ｄ．補強シート５は、平面方形の不織布などでなるシート体５Ａの上面に、当該シート体５Ａの右方露出縁５Ａ１を設けた状態でラミネートされた合成樹脂５Ｂで構成され、処分場用くぼみ部２の内面に敷設された遮水シート保護マット４における前後の壁面、左右の壁面の上面に、当該補強シートの上端が処分場用くぼみ部２の縁部２Ｇを覆い、下端が処分場用くぼみ部２の底面２Ａに達するよう積層する。
すなわち、補強シート５、５．．を並列状態で当該補強シートの右方露出縁５Ａ１と補強シート５の左方下縁５Ｃを重ね溶着する。
この場合、図６の如く、遮水シート保護マット４と補強シート５を、３スパン間隔でライスターなどの溶着機を利用して溶着したり、合成樹脂を熱硬化させて溶着することができる。
ａ．補強シート５を使用することによって、遮水シート保護マット４の接合方法が面ファスナーだけでなく、溶着も可能となる。
ｂ．遮水シート保護マット４の接合に溶着を採用していなかったのは、遮水シート保護マット４が上面に出て風雨や雪の影響を長年受けると、接合部分にはがれを生じそのたびに補修する必要が生じる為であるが、補強シート５を遮水シート保護マット４の上に敷設することにより雨や雪の影響を受けなくなり、常時溶着部はぬれていない状態となり、その接合部もはがれを生じなくなるので、遮水シート保護マット４の接合に溶着の採用も可能となる。
Ｅ．遮水シート３、遮水シート保護マット４、補強シート５の固定の方法は下記の通りである。
遮水シート３、遮水シート保護マット４、補強シート５の上端を溝２Ｇに入れ、コンクリートを打設してコンクリート固定工Ｃ１を形成して固定する。
Ｆ．土砂７は補強シート５を積層後、所定の厚さで敷き詰められる。
【００３４】
１１は第２発明の廃棄物の処分場である。
第１種処分場用くぼみ部２１と、第１種遮水シート３１と、遮水シート保護マット４と、下方遮水シート保護マット４１と、補強シート５と、下方補強シート５１と、土砂７から構成されている。
Ａ．第１種処分場用くぼみ部２１は、底面２１Ａと、　この底面の前後に連設された前後の下方壁面２１Ｂ、２１Ｃと、左右に連設された左右の下方壁面２１Ｄ、２１Ｅと、これら壁面の上端に形成された中間天場２Ｈと、この中間天場２Ｈに形成された断面逆台形状の中間溝２Ｉと、中間溝２Ｉに上方に向け連設された前後の壁面２Ｂ、２Ｃと、左右の壁面２Ｄ、２Ｅと、これら前後の壁面２Ｂ、２Ｃと左右の壁面２Ｄ、２Ｅの外周に、土盛された縁部２Ｆを介して形成された断面逆台形状の溝２Ｇから構成されている。
図中、２Ｇ１は溝２Ｇの底部、２Ｇ２は溝の内方壁、２Ｇ３は溝の外方壁である。
２Ｉ１は中間溝２Ｉの底部、２Ｉ２は中間溝の内方壁、２Ｉ３は中間溝の外方壁である。
Ｂ．第１種遮水シート３１は、塩化ビニール、ポリエチレン、ゴム、Ｅ．　Ｖ．　Ａ．　などのシートで構成され、第１種処分場用くぼみ部２１における底面２１Ａの上面と、前後の下方壁面２１Ｂ、２１Ｃ、左右の下方壁面２１Ｄ、２１Ｅの上面と、中間溝２Ｉの上面と、前後の壁面２Ｂ、２Ｃ、左右の壁面２Ｄ、２Ｅの上面と、処分場用くぼみ部２の縁部２Ｇを覆うように敷設されている。
【００３５】
Ｃ．遮水シート保護マット４は、平面方形のマット体４Ａの左端下面に添着された面ファスナーの一方４Ｂと右端上面に添着された面ファスナーの他方４Ｃとから構成され、処分場用くぼみ部２１の内面に敷設された遮水シート３１の上面に、当該遮水シート保護マット４の上端が第１種処分場くぼみ部２１の縁部２Ｇを覆い、下端が中間溝２Ｉ内に達する状態で並列状態で面ファスナーの一方４Ｂと他方４Ｃを利用しながら、隙間のないように連結して敷設されている。
Ｄ．下方遮水シート保護マット４１は、平面方形のマット体４Ａの左端下面に添着された面ファスナーの一方４Ｂと右端上面に添着された面ファスナーの他方４Ｃとから構成され、処分場用くぼみ部２１の内面に敷設された遮水シート３１の上面に、当該下方遮水シート保護マット４１の上端が中間溝２Ｉ内に入り、下端が第１種処分場用くぼみ部２の底面２１Ａに達する状態で並列状態で面ファスナーの一方４Ｂと他方４Ｃを利用しながら、隙間のないように連結して敷設されている。
Ｅ．補強シート５の構成は、第１発明における補強シート５と同一構造に構成されているが、当該補強シート５の下端は断面逆台形状の中間溝２Ｉ内に達するよう構成されている。
【００３６】
Ｆ．下方補強シート５１は、平面方形の不織布などでなるシート体５Ａの上面に、当該シート体５Ａの右方露出縁５Ａ１を設けた状態でラミネートされた合成樹脂５Ｂで構成され、第１種処分場用くぼみ部２１の内面に敷設された下方遮水シート保護マット４１のうち前後の下方壁面２１Ｂ、２１Ｃ、左右の下方壁面２１Ｄ、２１Ｅに対応する部分の上面に位置し、当該下方補強シート５１の上端を中間溝２Ｉ内に入れ、下端が第１種処分場用くぼみ部２１の底面２１Ａに達するよう積層する。
すなわち、下方補強シート５１、５１．．を並列状態で当該下方補強シートの右方露出縁５Ａ１と補強シート５の左方下縁５Ｃを重ね溶着する。
この場合、図１４の如く、遮水シート保護マット４と補強シート５を、３スパン間隔でライスターなどの溶着機を利用して溶着したり、合成樹脂を熱硬化させて溶着することができる。
図１６の如く、下方遮水シート保護マット４１と下方補強シート５１を、３スパン間隔でライスターなどの溶着機を利用して溶着したり、合成樹脂を熱硬化させて溶着することができる。
【００３７】
Ｇ．第１種遮水シート３１、遮水シート保護マット４、補強シート５の固定の方法は下記の通りである。
第１種遮水シート３１、遮水シート保護マット４、補強シート５の上端を溝２Ｇに入れ、コンクリートを打設してコンクリート固定工Ｃ１を形成して固定する。
また、第１種遮水シート３１の中間部、下方遮水シート保護マット４１の上端と下方補強シート５１の上端は、中間溝２Ｉにコンクリートを打設してコンクリート中間固定工Ｃ２を形成して固定する。
Ｈ．土砂７は下方補強シート５１を積層後、所定の厚さで敷き詰められる。
【００３８】
１イは第３発明の廃棄物の処分場で、処分場用くぼみ部２と、遮水シート３と、遮水シート保護マット４と、ネット用空間保持具６と、鳥獣防止ネット８と、土砂７から構成されている。
Ａ．処分場用くぼみ部２は、第１発明における処分場用くぼみ部２と同一構造に構成されている。
Ｂ．遮水シート３は、第１発明における遮水シート３と同一構造に構成されている。
すなわち、遮水シート３は、塩化ビニール、ポリエチレン、ゴム、Ｅ．　Ｖ．　Ａ．　などのシートで構成され、処分場用くぼみ部２における底面２Ａ、前後の壁面２Ｂ、２Ｃ、左右の壁面２Ｄ、２Ｅの上面と、処分場用くぼみ部２の縁部２Ｇを覆うように敷設されている。
Ｃ．遮水シート保護マット４は、第１発明における遮水シート保護マット４と同一構造に構成されている。
すなわち、遮水シート保護マット４は、平面方形のマット体４Ａの左端下面に添着された面ファスナーの一方４Ｂと右端上面に添着された面ファスナーの他方４Ｃとから構成され、処分場用くぼみ部の内面に敷設された遮水シート３における前後左右の壁面の上面に、当該遮水シート保護マット４の上端が処分場くぼみ部２の縁部２Ｇを覆い、下端が処分場用くぼみ部２の底面２Ａに達する状態で並列状態で面ファスナーの一方４Ｂと他方４Ｃを利用しながら、隙間のないように連結して敷設されている。
【００３９】
Ｄ．遮水シート３、遮水シート保護マット４の固定の方法は下記の通りである。
遮水シート３、遮水シート保護マット４の上端を溝２Ｇに入れ、コンクリートを打設してコンクリート固定工Ｃ１を形成して固定する。
Ｅ．ネット用空間保持具６、６．．は、所定長さのロープ６Ａと、このロープに所定間隔をもって結束固定した網空間保持体６Ｂ、６Ｂ．．から構成されている。
ネット用空間保持具６は、遮水シート保護マット４と鳥獣防止ネット８の間に空間を造るためのものである。
ａ．コンクリート固定工Ｃ１の天端の中間にオールアンカーとアイナット６Ｃ、６Ｃ．．を設置し、このオールアンカーとアイナットにスプリング６Ｄを介してロープ６Ａ、６Ａ．．を接続し、当該ロープを法面の最下端まで下げる。
ｂ．網空間保持体６Ｂは、合成樹脂材を素材とする円筒体あるいは角筒体で構成されている。
この場合、円筒体あるいは角筒体の側壁を、図２９のように網状に構成したもの６Ｂ１、図３０のようにスパイラル状に構成したもの６Ｂ２、図３１のように蛇腹状に構成したもの６Ｂ３、図３２のように格子状に構成したもの６Ｂ４に構成することができる。このように構成するのは補強シートに損傷を与えないためである。
ｃ．円筒体の直径は１００ｍｍ程度、長さは２００ｍｍ程度が好適であった。
【００４０】
Ｆ．鳥獣防止ネット８は、平面方形の枠８Ａにネット８Ｂを張って構成されている。
ａ．鳥獣防止ネット８は、遮水シート保護マット４上に並列状態で配置されたネット用空間保持具６、６．．を覆う状態に設置する。
この場合、鳥獣防止ネット８の上部横縁部８Ａ１をコンクリート固定工Ｃ１に取付けられたスプリング６Ｄに固定する。
ｂ．鳥獣防止ネット８の延長方向の接合は、一方の縦縁部８Ａ２と他方の縦縁部８Ａ２をロープなどで法長方向に結束して敷設していく。
下部横縁部８Ａ３は、法面の最下端まで下げフリーにして敷設する。
８Ｃはネットの補強ロープであるが、３ｍ〜４ｍスパンに入る。
鳥獣防止ネット及び縦横の縁部や補強ロープの材質は、紫外線に強い耐候性に優れているポリエチレン、ポリエステルがよいが、他にナイロン、ポリアラミドなど合成繊維や炭素繊維やゴムのように伸びる性質の素材でもよい。
ｃ．鳥獣防止ネットの網目の寸法は３０ｍｍ×３０ｍｍ程度〜２００ｍｍ×２００ｍｍ程度が好適であった。
Ｇ．土砂７は鳥獣防止ネット８を張設後、所定の厚さで敷き詰められる。
【００４１】
１イ１は第４発明の廃棄物の処分場である。
第１種処分場用くぼみ部２１と、第１種遮水シート３１と、遮水シート保護マット４と、下方遮水シート保護マット４１と、ネット用空間保持具６と、下方ネット用空間保持具６１と、鳥獣防止ネット８と、下方鳥獣防止ネット８１と、土砂７から構成されている。
Ａ．第１種処分場用くぼみ部２１は、底面２１Ａと、　この底面の前後に連設された前後の下方壁面２１Ｂ、２１Ｃと、左右に連設された左右の下方壁面２１Ｄ、２１Ｅと、これら壁面の上端に形成された中間天場２Ｈと、この中間天場２Ｈに形成された断面逆台形状の中間溝２Ｉと、中間溝２Ｉに上方に向け連設された前後の壁面２Ｂ、２Ｃと、左右の壁面２Ｄ、２Ｅと、これら前後の壁面２Ｂ、２Ｃと左右の壁面２Ｄ、２Ｅの外周に、土盛された縁部２Ｆを介して形成された断面逆台形状の中間溝２Ｇから構成されている。
図中、２Ｇ１は中間溝２Ｇの底部、２Ｇ２は溝の内方壁、２Ｇ３は溝の外方壁である。
２Ｉ１は中間溝２Ｉの底部、２Ｉ２は中間溝の内方壁、２Ｉ３は中間溝の外方壁である。
Ｂ．第１種遮水シート３１は、塩化ビニール、ポリエチレン、ゴム、Ｅ．　Ｖ．　Ａ．　などのシートで構成され、第１種処分場用くぼみ部２１における底面２１Ａの上面、中間溝２Ｉの上面と、前後の下方壁面２１Ｂ、２１Ｃ、左右の下方壁面２１Ｄ、２１Ｅの上面と、前後の壁面２Ｂ、２Ｃ、左右の壁面２Ｄ、２Ｅと、縁部２Ｇを覆うように敷設されている。
【００４２】
Ｃ．遮水シート保護マット４は、平面方形のマット体４Ａの左端下面に添着された面ファスナーの一方４Ｂと右端上面に添着された面ファスナーの他方４Ｃとから構成され、処分場用くぼみ部２１の内面に敷設された遮水シート３１の上面に、当該遮水シート保護マット４の上端が第１種処分場くぼみ部２１の縁部２Ｇを覆い、下端が中間溝２Ｉ内に達する状態で並列状態で面ファスナーの一方４Ｂと他方４Ｃを利用しながら、隙間のないように連結して敷設されている。
Ｄ．下方遮水シート保護マット４１は、平面方形のマット体４Ａの左端下面に添着された面ファスナーの一方４Ｂと右端上面に添着された面ファスナーの他方４Ｃとから構成され、処分場用くぼみ部２１の内面に敷設された遮水シート３１の上面に、当該下方遮水シート保護マット４１の上端が中間溝２Ｉ内に入り、下端が第１種処分場用くぼみ部２の底面２１Ａに達する状態で並列状態で面ファスナーの一方４Ｂと他方４Ｃを利用しながら、隙間のないように連結して敷設されている。
【００４３】
Ｅ．ネット用空間保持具６は、第２発明におけるネット用空間保持具６と同一構造に構成されている。
Ｆ．下方ネット用空間保持具６１は、所定長さのロープ６Ａと、このロープに所定間隔をもって結束固定した網空間保持体６Ｂ、６Ｂ．．から構成されている。
下方ネット用空間保持具６１は、下方遮水シート保護マット４１と下方鳥獣防止ネット８１の間に空間を造るためのものである。
ａ．中間コンクリート固定工Ｃ２の天端にオールアンカーとアイナット６Ｃ、６Ｃ．．を設置し、このオールアンカーとアイナットにスプリング６Ｄを介してロープ６Ａ、６Ａ．．を接続し、当該ロープを法面の最下端まで下げる。
ｂ．網空間保持体６Ｂは、合成樹脂材を素材とする円筒体あるいは角筒体で構成されている。
この場合、円筒体あるいは角筒体の側壁を、図４６のように網状に構成したもの６Ｂ１、図４７のようにスパイラル状に構成したもの６Ｂ２、図４８のように蛇腹状に構成したもの６Ｂ３、図４９のように格子状に構成したもの６Ｂ４に構成することができる。このように構成するのは補強シートに損傷しないためである。
ｃ．円筒体の直径は１００ｍｍ程度、長さは２００ｍｍ程度が好適であった。
【００４４】
Ｇ．鳥獣防止ネット８は、第２発明における鳥獣防止ネット８と同一構造に構成されている。
Ｈ．下方鳥獣防止ネット８１は、平面方形の枠８Ａにネット８Ｂを張って構成されている。
ａ．下方鳥獣防止ネット８１は、下方遮水シート保護マット４１上に並列状態で配置されたネット用空間保持具６１、６１．．を覆う状態に設置する。
この場合、下方鳥獣防止ネット８１の上部横縁部８Ａ１をコンクリート固定工Ｃ１に取付けられたスプリング６Ｄに固定する。
ｂ．下方鳥獣防止ネット８１の延長方向の接合は、一方の縦縁部８Ａ２と他方の縦縁部８Ａ２をロープなどで法長方向に結束して敷設していく。
下部横縁部８Ａ３は、法面の最下端まで下げフリーにして敷設する。
８Ｃはネットの補強ロープであるが、３ｍ〜４ｍスパンに入る。
鳥獣防止ネット及び縦横の縁部や補強ロープの材質は、紫外線に強い耐候性に優れているポリエチレン、ポリエステルがよいが、他にナイロン、ポリアラミドなど合成繊維や炭素繊維やゴムのように伸びる性質の素材でもよい。
ｃ．鳥獣防止ネットの網目の寸法は３０ｍｍ×３０ｍｍ程度〜２００ｍｍ×２００ｍｍ程度が好適であった。
Ｉ．土砂７は下方補強シート５１を引張った後、所定の厚さで敷き詰められる。
【００４５】
Ｊ．第１種遮水シート３１、遮水シート保護マット４、下方遮水シート保護マット４１の固定の方法は下記の通りである。
第１種遮水シート３１、遮水シート保護マット４の上端を溝２Ｇに入れ、コンクリートを打設してコンクリート固定工Ｃ１を形成して固定する。
また、第１種遮水シート３１の中間部、下方遮水シート保護マット４１の上端と下方補強シート５１の上端は、中間溝２Ｉにコンクリートを打設してコンクリート中間固定工Ｃ２を形成して固定する。
【００４６】
なお、図３３を参照して鳥獣防止ネット８は、遮水シート保護マット４の上面とは一定間隔Ｄを保持する状態で張設されている。
図５０を参照して下方鳥獣防止ネット８１は、下方遮水シート保護マット４１の上面とは一定間隔Ｄを保持する状態で張設されている。
【００４７】
１ロは第５発明の廃棄物の処分場で、処分場用くぼみ部２と、遮水シート３と、遮水シート保護マット４と、補強シート５と、ネット用空間保持具６と、鳥獣防止ネット８と、土砂７から構成されている。
Ａ．処分場用くぼみ部２は、第１発明における処分場用くぼみ部２と同一構造に構成されている。
Ｂ．遮水シート３は、第１発明における遮水シート３と同一構造に構成されている。
すなわち、遮水シート３は、塩化ビニール、ポリエチレン、ゴム、Ｅ．　Ｖ．　Ａ．　などのシートで構成され、処分場用くぼみ部２における底面２Ａ、前後の壁面２Ｂ、２Ｃ、左右の壁面２Ｄ、２Ｅの上面と、処分場用くぼみ部２の縁部２Ｇを覆うように敷設されている。
Ｃ．遮水シート保護マット４は、第１発明における遮水シート保護マット４と同一構造に構成されている。
すなわち、遮水シート保護マット４は、平面方形のマット体４Ａの左端下面に添着された面ファスナーの一方４Ｂと右端上面に添着された面ファスナーの他方４Ｃとから構成され、処分場用くぼみ部の内面に敷設された遮水シート３における前後左右の壁面の上面に、当該遮水シート保護マット４の上端が処分場くぼみ部２の縁部２Ｇを覆い、下端が処分場用くぼみ部２の底面２Ａに達する状態で並列状態で面ファスナーの一方４Ｂと他方４Ｃを利用しながら、隙間のないように連結して敷設されている。
【００４８】
Ｄ．補強シート５は、第１発明における補強シート５と同一構造に構成されている。
補強シート５は、平面方形の不織布などでなるシート体５Ａの上面に位置し、当該シート体５Ａの右方露出縁５Ａ１を設けた状態でラミネートされた合成樹脂５Ｂで構成され、処分場用くぼみ部２の内面に敷設された遮水シート保護マット４における前後の壁面、左右の壁面の上面に位置し、当該補強シートの上端が処分場用くぼみ部２の縁部２Ｇを覆い、下端が処分場用くぼみ部２の底面２Ａに達するよう積層する。
すなわち、補強シート５、５．．を並列状態で当該補強シートの右方露出縁５Ａ１と補強シート５の左方下縁５Ｃを重ね溶着する。
この場合、図５６の如く、遮水シート保護マット４と補強シート５を、３スパン間隔でライスターなどの溶着機を利用して溶着したり、合成樹脂を熱硬化させて溶着することができる。
ａ．補強マット５を使用することによって、遮水シート保護マット４の接合方法が面ファスナーだけでなく、溶着も可能となる。
ｂ．遮水シート保護マット４の接合に溶着を採用していなかったのは、遮水シート保護マット４が上面に出て風雨や雪の影響を長年受けると、接合部分にはがれを生じそのたびに補修する必要が生じる為であるが、補強シート５を遮水シート保護マット４の上に敷設することにより雨や雪の影響を受けなくなり、常時溶着部はぬれていない状態となり、その接合部もはがれを生じなくなるので、遮水シート保護マット４の接合に溶着の採用も可能となる。
【００４９】
Ｅ．遮水シート３、遮水シート保護マット４、補強シート５の固定の方法は下記の通りである。
遮水シート３、遮水シート保護マット４、補強シート５の上端を溝２Ｇに入れ、コンクリートを打設してコンクリート固定工Ｃ１を形成して固定する。
Ｆ．ネット用空間保持具６、６．．は、第２発明におけるネット用空間保持具６と同一構造に構成されている。
すなわち、ネット用空間保持具６、６．．は、所定長さのロープ６Ａと、このロープに所定間隔をもって結束固定した網空間保持体６Ｂ、６Ｂ．．から構成されている。
ネット用空間保持具６は、補強シート５と鳥獣防止ネット８の間に空間を造るためのものである。
ａ．コンクリート固定工Ｃ１の天端にオールアンカーとアイナット６Ｃ、６Ｃ．．を設置し、このオールアンカーとアイナットにスプリング６Ｄを介してロープ６Ａ、６Ａ．．を接続し、当該ロープを法面の最下端まで下げる。
ｂ．網空間保持体６Ｂは、合成樹脂材を素材とする円筒体あるいは角筒体で構成されている。
この場合、円筒体あるいは角筒体の側壁を、図６１のように網状に構成したもの６Ｂ１、図６２のようにスパイラル状に構成したもの６Ｂ２、図６３のように蛇腹状に構成したもの６Ｂ３、図６４のように格子状に構成したもの６Ｂ４に構成することができる。このように構成するのは補強シートに損傷しないためである。
ｃ．円筒体の直径は１００ｍｍ程度、長さは２００ｍｍ程度が好適であった。
【００５０】
Ｇ．鳥獣防止ネット８は、第２発明における鳥獣防止ネット８と同一構造に構成されている。
すなわち、鳥獣防止ネット８は、平面方形の枠８Ａにネット８Ｂを張って構成されている。
ａ．鳥獣防止ネット８は、補強シート５上に並列状態で配置されたネット用空間保持具６、６．．を覆う状態に設置する。
この場合、鳥獣防止ネット８の上部横縁部８Ａ１をコンクリート固定工Ｃ１に取付けられたスプリング６Ｄに固定する。
ｂ．鳥獣防止ネット８の延長方向の接合は、一方の縦縁部８Ａ２と他方の縦縁部８Ａ２をロープなどで法長方向に結束して敷設していく。
下部横縁部８Ａ３は、法面の最下端まで下げて敷設する。
８Ｃはネットの補強ロープであるが、３ｍ〜４ｍスパンに入る。
鳥獣防止ネット及び縦横の縁部や補強ロープの材質は、紫外線に強い耐候性に優れているポリエチレン、ポリエステルがよいが、他にナイロン、ポリアラミドなど合成繊維や炭素繊維やゴムのように伸びる性質の素材でもよい。
ｃ．鳥獣防止ネットの網目の寸法は３０ｍｍ×３０ｍｍ程度〜２００ｍｍ×２００ｍｍ程度が好適であった。
Ｈ．土砂７は鳥獣防止ネット８を張設後、所定の厚さで敷き詰められる。
【００５１】１ロ１は第６発明の廃棄物の処分場である。
第１種処分場用くぼみ部２１と、第１種遮水シート３１と、遮水シート保護マット４と、下方遮水シート保護マット４１と、補強シート５と、下方補強シート５１と、ネット用空間保持具６と、下方ネット用空間保持具６１と、鳥獣防止ネット８と、下方鳥獣防止ネット８１と、土砂７から構成されている。
Ａ．第１種処分場用くぼみ部２１は、底面２１Ａと、　この底面の前後に連設された前後の下方壁面２１Ｂ、２１Ｃと、左右に連設された左右の下方壁面２１Ｄ、２１Ｅと、これら壁面の上端に形成された中間天場２Ｈと、この中間天場２Ｈに形成された断面逆台形状の中間溝２Ｉと、中間溝２Ｉに上方に向け連設された前後の壁面２Ｂ、２Ｃと、左右の壁面２Ｄ、２Ｅと、これら前後の壁面２Ｂ、２Ｃと左右の壁面２Ｄ、２Ｅの外周に、土盛された縁部２Ｆを介して形成された断面逆台形状の溝２Ｇから構成されている。
図中、２Ｇ１は溝２Ｇの底部、２Ｇ２は溝の内方壁、２Ｇ３は溝の外方壁である。
２Ｉ１は中間溝２Ｉの底部、２Ｉ２は中間溝の内方壁、２Ｉ３は中間溝の外方壁である。
Ｂ．第１種遮水シート３１は、塩化ビニール、ポリエチレン、ゴム、Ｅ．　Ｖ．　Ａ．　などのシートで構成され、第１種処分場用くぼみ部２１における底面２１Ａの上面、中間溝２Ｉの上面と、前後の下方壁面２１Ｂ、２１Ｃ、左右の下方壁面２１Ｄ、２１Ｅの上面と、前後の壁面２Ｂ、２Ｃ、左右の壁面２Ｄ、２Ｅと、縁部２Ｇを覆うように敷設されている。
【００５２】
Ｃ．遮水シート保護マット４は、平面方形のマット体４Ａの左端下面に添着された面ファスナーの一方４Ｂと右端上面に添着された面ファスナーの他方４Ｃとから構成され、処分場用くぼみ部２１の内面に敷設された遮水シート３１の上面に、当該遮水シート保護マット４の上端が第１種処分場くぼみ部２１の縁部２Ｇを覆い、下端が中間溝２Ｉ内に達する状態で並列状態で面ファスナーの一方４Ｂと他方４Ｃを利用しながら、隙間のないように連結して敷設されている。
Ｄ．下方遮水シート保護マット４１は、平面方形のマット体４Ａの左端下面に添着された面ファスナーの一方４Ｂと右端上面に添着された面ファスナーの他方４Ｃとから構成され、処分場用くぼみ部２１の内面に敷設された遮水シート３１の上面に、当該下方遮水シート保護マット４１の上端が中間溝２Ｉ内に入り、下端が第１種処分場用くぼみ部２の底面２１Ａに達する状態で並列状態で面ファスナーの一方４Ｂと他方４Ｃを利用しながら、隙間のないように連結して敷設されている。
【００５３】
Ｅ．補強シート５は、第３発明の補強シート５と同一に構成されている。
Ｆ．下方補強シート５１は、平面方形の不織布などでなるシート体５Ａの上面に位置し、当該シート体５Ａの右方露出縁５Ａ１を設けた状態でラミネートされた合成樹脂５Ｂで構成され、第１種処分場用くぼみ部２１の内面に敷設された下方遮水シート保護マット４１の前後の下方壁面２１Ｂ、２１Ｃ、左右の下方壁面２１Ｄ、２１Ｅに対応する部分の上面に位置し、当該下方補強シート５１の上端を中間溝２Ｉ内に入れ、下端が第１種処分場用くぼみ部２１の底面２１Ａに達するよう積層する。
すなわち、下方補強シート５１、５１．．を並列状態で、当該下方補強シートの右方露出縁５Ａ１と補強シート５の左方下縁５Ｃを重ね溶着する。
この場合、図７１の如く、遮水シート保護マット４と補強シート５を、３スパン間隔でライスターなどの溶着機を利用して溶着したり、合成樹脂を熱硬化させて溶着することができる。
図７３の如く、下方遮水シート保護マット４１と下方補強シート５１を、３スパン間隔でライスターなどの溶着機を利用して溶着したり、合成樹脂を熱硬化させて溶着することができる。
【００５４】
Ｇ．ネット用空間保持具６は、第３発明のネット用空間保持具６と同一に構成されている。
Ｈ．下方ネット用空間保持具６１は、所定長さのロープ６Ａと、このロープに所定間隔をもって結束固定した網空間保持体６Ｂ、６Ｂ．．から構成されている。
下方ネット用空間保持具６１は、下方補強シート５１と下方鳥獣防止ネット８１の間に空間を造るためのものである。
ａ．中間コンクリート固定工Ｃ２の天端にオールアンカーとアイナット６Ｃ、６Ｃ．．を設置し、このオールアンカーとアイナットにスプリング６Ｄを介してロープ６Ａ、６Ａ．．を接続し、当該ロープを法面の最下端まで下げる。
ｂ．網空間保持体６Ｂは、合成樹脂材を素材とする円筒体あるいは角筒体で構成されている。
この場合、円筒体あるいは角筒体の側壁を、図８２のように網状に構成したもの６Ｂ１、図８３のようにスパイラル状に構成したもの６Ｂ２、図８４のように蛇腹状に構成したもの６Ｂ３、図８５のように格子状に構成したもの６Ｂ４に構成することができる。このように構成するのは補強シートに損傷しないためである。
ｃ．円筒体の直径は１００ｍｍ程度、長さは２００ｍｍ程度が好適であった。
【００５５】
Ｉ．鳥獣防止ネット８は、第３発明の鳥獣防止ネット８と同一に構成されている。
Ｊ．下方鳥獣防止ネット８１は、平面方形の枠８Ａにネット８Ｂを張って構成されている。
ａ．下方鳥獣防止ネット８１は、下方補強シート５１上に並列状態で配置された下方ネット用空間保持具６１、６１．．を覆う状態に設置する。
この場合、下方鳥獣防止ネット８１の上部横縁部８Ａ１をコンクリート中間固定工Ｃ２に取付けられたスプリング６Ｄに固定する。
ｂ．下方鳥獣防止ネット８１の延長方向の接合は、一方の縦縁部８Ａ２と他方の縦縁部８Ａ２をロープなどで法長方向に結束して敷設していく。
下部横縁部８Ａ３は、法面の最下端まで下げて敷設する。
８Ｃはネットの補強ロープであるが、３ｍ〜４ｍスパンに入る。
鳥獣防止ネット及び縦横の縁部や補強ロープの材質は、紫外線に強い耐候性に優れているポリエチレン、ポリエステルがよいが、他にナイロン、ポリアラミドなど合成繊維や炭素繊維やゴムのように伸びる性質の素材でもよい。
ｃ．鳥獣防止ネットの網目の寸法は３０ｍｍ×３０ｍｍ程度〜２００ｍｍ×２００ｍｍ程度が好適であった。
Ｋ．土砂７は下方鳥獣防止ネット８１を引張った後、所定の厚さで敷き詰められる。
【００５６】
Ｌ．第１種遮水シート３１、遮水シート保護マット４、補強シート５の固定の方法は下記の通りである。
第１種遮水シート３１、遮水シート保護マット４、補強シート５の上端を溝２Ｇに入れ、コンクリートを打設してコンクリート固定工Ｃ１を形成して固定する。
また、第１種遮水シート３１の中間部、下方遮水シート保護マット４１の上端と下方補強シート５１の上端は、中間溝２Ｉにコンクリートを打設してコンクリート中間固定工Ｃ２を形成して固定する。
【００５７】
なお、図６５を参照して鳥獣防止ネット８は、補強シート５の上面とは一定間隔Ｄを保持する状態で張設されている。
図８６を参照して下方鳥獣防止ネット８１は、下方補強シート５１の上面とは一定間隔Ｄを保持する状態で張設されている。
【００５８】
【実施例】
さらに、以下のような条件で実験した結果、極めて良好な結果が得られた。
Ａ．遮水シート保護マットの条件を説明する。
ａ．現在使用されているマット類（反毛フェルト、不織布、繊維製など）は、ＪＩＳ　Ｌ　３２０４反毛フェルト・規格値やＪＩＳ　Ｌ　１０８５の試験方法に基づいた任意の規格値のものであり、各種土木工事に使用されている。
廃棄物処理場などでも、遮水シートの裏面に緩衝材として使用され、また、遮水シートの表面にも紫外線や保護土からの破損防止を目的として、最近では使用例が多いようであるが、そのマット類の品質、厚さ、強度性などは、載荷実験や処理場への試験施工などに基づいて使用されたものでなく、また、マットの接続についても適当のようである。
ｂ．本発明の遮水シート保護マットは載荷実験において１０ｍｍと１５ｍｍを実験し、その結果、１５ｍｍのマットが良好であったので、処理場への試験施工では遮水シートの張ってある法面の表面に１５ｍｍのマットを敷設した。
この結果も状況調査などにより良好であったので実用化されたものである。
【００５９】
ｃ．なお、本発明の遮水シート保護マット１５ｍｍについての規格値は、試験方法ＪＩＳ　Ｌ　３２０４（反毛フェルト）に基づいているが、ＪＩＳ　Ｌ　３２０４の規格値を大幅に上回ったものとなっているので次に示す。
ｄ．遮水シート保護マット１５ｍｍの規格値
１．密度　　　　　　０．２　ｇ／ｃｍ３　以上
２．引張強度　　　２０．０　ｋｇｆ／ｃｍ２　以上
３．圧縮率　　　　　４．４　％以下
４．耐薬品性　　　９５．０　％以上
５．耐貫通性　　３５０．０　ｋｇｆ以上
なお、耐貫通試験は、ＪＩＳ　Ｌ　１０９６Ｂ法（定速伸長形法）１００ｍｍ／ｍｉｎでは５００ｋｇｆでも破損しないため、アメリカ合衆国連邦政府試験法（ＦＴＭＳ−１０１Ｂ−Ｍｅｔｈｏｄ２０６５　約５００ｍｍ／ｍｉｎあるいはＦＴＭＳ−１０１Ｃ−Ｍｅｔｈｏｄ２０６５．１）に準じて行うものとする。
ｅ．また、今後、耐貫通強度を増すために上記規格値を増減し、変更する場合もある。
【００６０】
以上のように本発明の遮水シート保護マットは規格値を設定してあるが、他の試験方法に基づいているマットでも上記規格値と同等以上のものも含むものとする。マットの材質は腐食しづらい（毛、綿、麻などの有機物を含まない）合成繊維１００％とする。
ここで言う腐食について少し説明すると、マットは長期使用され、もしくは永久使用されるので腐食は大敵となる。
腐食することによりマットの上記規格値をクリアできなくなり、長年堆積されたゴミの積載荷重に耐えられなくなり、遮水シートを破損するばかりでなく、マットの腐食により汚水を発生し、破損場所から地下及び地下水へ浸透し重大な公害を発生する可能性がある。
現在実用化されているマットには、耐候性、耐紫外線のよい合成繊維１００％を使用しているが、遮水シート保護マット用素材の規格値をクリアする材質でも良いものとする。
なお、現在使用している合成繊維は、製品化されたものの残材が主材となっており、捨てれば産業廃棄物扱いになるものをリサイクルする形で使用しているが、将来的に需要の増大によっては新糸を使用する。
【００６１】
ｆ．また、耐貫通強度の補強や増強のため、遮水シートを傷つけない織物、編物、フィルム、長繊維その他の補強材を使用する場合もある。
厚みは載荷実験、試験施工で良好であった１５ｍｍを標準とするが、その他用途により、例えば紫外線や生ゴミ程度から保護したい場合は１５ｍｍより薄くてよいし、規格値も前述の規格値を下回ってもよいが、材質はポリエステル、ナイロン等の合成繊維であることは当然である。
また、処理場の底面に敷設する場合、ゴミの体積荷重等により１５ｍｍより厚いマットを使用するが、規格値は前述規格値を上回るのは当然である。
マットとマットの接合は遮水シートを破壊させないもので、マット間に隙間が開かないような方法であればよい。
【００６２】
面ファスナーの一方４Ｂと他方４Ｃの条件について説明する。
ｇ．本発明の遮水シート保護マットの試験施工では、あらかじめ遮水シート保護マットに縫製固定された面ファスナーの一方と他方を接合に使用したが、ブルドーザーによる転圧などを経験し、その後の状況調査において、マットとマットの接合に異状がなく、その状態が良好であったことと、接合する施工性がよいので次記の規格値の面ファスナーを使用するが、その他面ファスナーの規格値をクリアするものであればよい。
ｈ．面ファスナーの一方と他方の規格値は下記のとおりである
１．引張剪断強さ（ｋｇｆ／ｃｍ２　）〜縦４．０以上、横４．５以上
２．母材引張強さ（ｋｇｆ／ｃｍ２　）
フックが群設された一方面ファスナー（オス）の場合〜縦１９．０以上、横５５．０以上
ループが群設された他方面ファスナー（メス）の場合〜縦１７．５以上、横４５．０以上
なお、試験方法はＪＩＳ　Ｌ　３４１６（面ファスナー）による。
【００６３】
ｉ．ここで遮水シート保護マットの具体的な寸法などを説明する。
ｉ１．各遮水シート保護マットの長手方向の寸法は、実際に使用されたものは３ｍ〜１０ｍものが多いが、施工上問題がなければ２５ｍ〜３０ｍものも使用してもよい。
ｉ２．各遮水シート保護マットの短手方向の寸法は、実際に使用されたものは２ｍものであるが、施工性を良くするために３ｍ〜４ｍものでもよい。
ｉ３．各遮水シート保護マットの厚さは、実験では１０ｍｍ、１５ｍｍの２種類を使用したが、実際には１５ｍｍを使用した。ただ、これもゴミの種類などにより１０ｍｍ〜５０ｍｍ位まで使用する場合もある。
現在使用している上記強度のマットは、太陽工業株式会社の下請け工場にて製造し、面ファスナーはクラレ製の工業用マジックテープ（登録商標）を使用している。
【００６４】
Ｂ．補強シートの条件とその特性について説明する。
ａ．補強シートの構造は、二層構造となっている。
一層目は紫外線など耐候性のよい、有害性の無い合成樹脂シート（例えばポリエチレン、Ｅ．　Ｖ．　Ａ．　など）からなっており、その厚みは使用する処分場での積雪、大気中の温度等を考慮するが、概ね０．３ｍｍ〜１．０ｍｍ程度である。二層目は、繊維マット（例えばポリエチレン、ポリエステル、ナイロンなど）からなっており、その厚みは３．０ｍｍ〜１０ｍｍ程度である。
一層目と二層目の合成は、接着剤で行うと水などが一層目と二層目の間に入り込むと剥がれるのと、その成分に有害性の疑わしいものもあるのに対して、工場で一層目と二層目を熱融着（ラミネート）するので、一層目と二層目の間に水が浸入したとしても剥がれにくいものとなるし、処分場に敷設しても何ら有害性が無いのである。
ｂ．道路工事などで法面崩壊を防ぐ為、ブルーシートを土嚢などで押えて使っているのをよく見るし、樹脂シートの為、隙間から入った風によって激しく煽られて千切れているのを見ることがある。
処分場の設置場所を考えてみると、人里離れた原野を利用したり、沢地や山間部がほとんどである。
原野は勿論であるが、山間部や沢地に処分場を造成する場合、法面が５段近くになる場所もあり、グラウンドラインから直高２０ｍ近くになる場所もあり、そこでの吹き上げる風は強風になる場合が多いのである。
ｃ．ここで、二層目の繊維マットの役目は、一層目の合成樹脂シートと熱融着（ラミネート）により一体化することで補強シートに破損を生じたとしても、合成樹脂シート１枚よりも強風による破損の拡大を防止できることなのである。
さらに、施工時に遮水シート保護マットと２〜３スパンごとに溶着することで、強風による煽りを減少させ破損の拡大を防ぐことができる。
補強シートの寸法は、長手方向は５０ｍ〜１００ｍであり、短手方向は１．５ｍ〜２．０ｍである。
【００６５】
ｄ．この補強シートの特性は、遮水シート保護マットの表面に敷設することにより、
第１に、遮水シート保護マットの耐候性、耐紫外線性を向上させる。
第２に、たとえ補強シートに部分的な破損箇所があったとしても、全体として遮水シート保護マットを雨や雪から保護することができる。
とりわけ、積雪による荷重を防ぎ雪国の処分場では好適と言える。
第３に、夏期は遮水シート保護マットがあることで遮水シートは高温を避けることができるが、冬期は遮水シート保護マットの表面は雪や積雪によって氷着し、温度も大気中の温度と同等なのである。
補強シートを遮水シート保護マットの表面に敷設することで、全体的には、ほとんど雨や雪に濡れなくなる。それによって遮水シートは高温、冬期の厳寒という条件を低減させることができる。
現在、処分場に使用されている遮水シートは、ポリエチレンが主流となっているが、その伸び率は４００％〜８００％となっており、他の遮水シートの伸び率を圧倒している。これは突然の陥没や不等沈下などに対応できるようにと、伸び率の大きいものを使用していると思われる。
温度の高低は別としても、遮水シートを法面の上方から下方へ敷設していくだけでも、その自重で伸びを発生するのである。
加えて、高温になると、増々その伸びは大きなものとなる。
そして、温度が低下すると、収縮する。つまり、伸縮が非常に大きいと言える。
これが遮水シートにとって大きなストレスとなり、紫外線や大気中の諸条件と重なって劣化を早めるのである。
補強シートを遮水シート保護マットの表面に敷設することで、高温や厳寒でも断熱ができ、通年で定温化を達成することで処分場内で遮水の一番メインである遮水シートにいらぬストレスをほとんど与えないで済むのである。
【００６６】
第４に、鳥類の糞尿防止である。
処分場の設置場所にもよるが、海岸沿いの町でその処分場が海岸から２ｋｍ程度の場所にある場合、カラス、トンビなどの他にカモメ科（カモメ、セグロカモメ、ウミネコなど）の鳥類が群れをなしてやって来る。
カモメなどは処分場をエサ場としてばかりでなく、休憩場所としている。そして、カラスやトンビが処分場のあちらこちらに止まっているのに対して、カモメ類はほとんど毎日一定の時間帯、一定の場所に群れをなして休憩しているのである。その時見られるのが大量の糞尿である。
その糞尿が疎らであれば、実際のところ遮水シート保護マットに影響を与えるもので無いが、遮水シート保護マットの表面に２ｍｍ〜３ｍｍのコーティング状態にあるのは、長期間暴露されている場合、酸性の強い糞尿がその物性値に悪影響を与える可能性がある。しかし、補強マットがあることでこの状態を解決できるのである。
補強シートの一層目が合成樹脂である為、雨などによって、その糞尿を流すことができるのである。
【００６７】
Ｃ．次に鳥獣防止ネットの条件と特徴について説明する。
ａ．ネットの形状は菱形、三角形〜八角形、丸型でもよいが、標準的には菱形あるいは四角形である。
ネットの網目は処分場に使用する場合、５０ｍｍ〜１５０ｍｍ程度であり、線径は呼称がデニールの場合、４００Ｄ×１０〜５００Ｄ×２０程度であり、テングスなど一本線を使用してネットを作る際の線径は、１．０ｍｍ〜３．０ｍｍ程度である。網目や線径は風荷重、雪荷重などによって決定する。
その他、公園の木の囲い（カラスの巣作り防止）や畑のサツマイモのオネなどの囲い（イノシシやサル防止）には、網目は１５０ｍｍ以上であり、線径はデニールの場合、５００Ｄ×２０以上であり、一本線の場合、３．０ｍｍ以上であるが動物の大きさなどで使い分ける。
ｂ．ネットの１枚の大きさは、自在に製造できるが、現場での施工や搬入の点から横長２０ｍ×縦長２０ｍ程度でよい。
この１枚の横縁取りと縦縁取りは、φ６〜φ１２程度のロープであるが、荷重の一番かかる部分であるので、そのサイズは風荷重や雪荷重などによって決定する。
また、この１枚の中には多雪地域などでφ６〜φ１２の補強ロープを何本か横方向に入れることもある。ネット及びロープの材質は紫外線に強い、耐候性に優れているポリエチレンがよいが、ポリエステル、ナイロン、ポリアラミド、ビニロン、炭素繊維などやゴムのように伸びる素材でもよい。特に多雪地域では炭素繊維などの高張力のものがよい。
ｃ．ネット各々の網目の結び目は、一方の網目が切れても、他方に連鎖しないようにしっかりと結ばれている。
ネットの固定には、市販されているオールアンカーやアイナットやスプリングを使用するが、その径や太さは風荷重、積雪荷重などによって決定する。また、強度や力学的性質が同等以上であれば他の固定具でもよい。
ネットと補強シートの表面の隙間は、５０ｍｍ〜２００ｍｍ程度で、その隙間を作る為の網空間保持体は補強シートに損傷を与えないものであれば材質は問わず、形も丸や四角や棒状などどのような形でもよい。この隙間を作ることが重要なのである。
【００６８】
Ｄ．既に述べた事項を総称して鳥獣防止ネットと言う。
ａ．この鳥獣防止ネットの特徴の第１は、補強シートの表面にネットを敷設する際、空間を作ることにある。
鳥獣、とりわけ鳥（カラス、トンビ、カモメなど）はゴミをあさるばかりでなく、法面上方の平らな部分でも、傾斜の部分でも、遮水シートが敷設されている場合は遮水シートに穴を明け、遮水シート保護マットが敷設されている場合は保護マットに穴を明ける。
鳥類には人間でいうところの第六感で視覚以外の特殊な能力、例えば超音波などでシート裏面の昆虫類やミミズなどを察知するなどの能力があって、それを得る為に遮水シートや保護マットを破損させていると思われる。
ほとんどの処分場はこの洗礼を受けている。
鳥類防止については、人間が根気負けしているのが現状である。特にカラスは学習能力が高く、犬の３倍から４倍の能力があると言われている。
ｂ．処分場での鳥類を観察してみると、遮水シート、遮水シート保護マット（各々が処分場の最上面に敷設されている場合）の上に傾斜であれ、平らな場所であれ、鳥類は安定して立って穴を明けようとしている。
処分場に来る鳥類の足を見ると、前指３本、後指１本でそれぞれ鋭い爪を持っている為と思われる。
カラスの多い処分場で保護マットの表面に、試験的に網目の大きさ１００ｍｍと３００ｍｍの２種類のネットを敷設してみたところ、３００ｍｍ網目の場合はほとんど効果が無く、保護マットはカラスの口ばしの洗礼を受けていたのに対して、１００ｍｍ網目の設置場所では損傷が見られなかった。
試験設置では、３００ｍｍ網目はカラスの歩行や飛ぶ時に影響は無いが、１００ｍｍ網目は足を引っ掛けたりして危険性を感じたものと思われる。その後の観察ではネットを５０ｍ以上避けた場所の法面上に止まっていた。
【００６９】
ｃ．試験ではただネットのみを保護マットの上に重ねて置いただけのものであったが、良い結果が得られた。しかし、カラスは学習能力が非常に高く、数ケ月で学習され気をつけながらでも１００ｍｍ網目部分に止まると思われる。
これらのことから、より一層の不安定性と危険性を作る為、隙間を作ることを考えた。
ｄ．鳥獣防止ネットと補強ネットの間に５０ｍｍ〜２００ｍｍ程度の隙間を作ることによって、鳥類が鳥獣防止ネット上に飛んで来ても、その鳥獣防止ネットがフワフワ状態であれば、立っているのに安定性を欠くし、体全体に力の入らない状態では、補強シートを突くのは非常に難しくなるのである。そして、歩行する時にもバランスを崩し網目から足を落とし、ネットに足を絡ませる危険性を感じさせることができるのである。
また、仮に隙間を作る為に置かれた高さ１００ｍｍ以上もある網空間保持体の上に止まったとしても、補強シートを突くのには距離がありすぎて不可能となるのである。
その結果、補強シートは鳥類からの被害を受けなくなるばかりでなく、学習しても休憩地にもできないと思えば、他の場所へと移動していくのである。
【００７０】
ｅ．ここで鳥獣防止ネットは、法律で禁止されている霞網の類ではないことを述べる。
霞網とは、小鳥を取る網。黒色で目に見えないような細い糸で編み、木立の間などにしかける。（日本語大辞典）とある。
霞網は木立の間にしかける他、記憶では４０年位前になるが、寒スズメを取る為、スズメの来る場所に米や穀類を蒔いて大きな霞網の両側を長い竹ザオや材木に固定して地べたに置き、スズメの集まった時を見計らって突然驚かすと同時に、両側にいる人が一斉に霞網を立ち上げる。スズメは驚いて飛んでいくが、見えにくいのか追われた方向に飛んでいく。
それを一網打尽にしたのを見たことがあるが、当該鳥獣防止ネットは、この類のものではない。
あくまで鳥類を捕獲するのが目的でなく、鳥類に不安定さと危険性を感じさせ処分場に群がらないようにするのが目的なのである。
鳥獣防止ネットは、そのネットの色は黒色を標準としているが、霞網と異なるのは霞網が見えづらいのに対して、当該鳥獣防止ネットは、目立つようにする、例えば、太陽光が当たっているネットが風で揺れることによってネットを断続的に黒光りさせるので、鳥に異様さを感じさせるのである。
処分場を観察してみると、カラスやトンビの類が多く、小鳥の類は全く来ていないと言える。従って、当該鳥獣防止ネットが小鳥に与える影響はないと言える。
処分場では、カラスは害鳥（例えば、処分場は病原菌の巣と言っても過言ではない。カラスは市街地にも餌を探して徘徊し、その病原菌を羽や口ばしに付着させて持っていく可能性が充分ある。）と考え、その害鳥を処分場で捕獲する為、大きな箱物を設置している。
大きな処分場になると、捕獲して処分する数は年間、数百数千羽になっている。
【００７１】
ｆ．当該鳥獣防止ネットの目的は、あくまで本来野鳥であるカラスなどに処分場に来ることの危険性を感じさせて野山に帰し、自然に数を減少させるのが目的である。
ｇ．鳥獣防止ネットの特徴の第２は、スプリングの使用である。
当該鳥獣防止ネットのネット上方横縁部のロープをスプリングを利用して固定するのには、三つの理由がある。
第１は、スプリングを使用することによりネットが風によって揺れることを助長し、ネットの黒光りが断続的に起こることにより鳥類に危険物のあることを気付かせることである。
第２は、冬期時において、網に雪などが氷着しないように風による揺れを助長することである。
第３は、冬期時、積雪の荷重によってネットが法面下方へ下がる時、スプリングが伸びることでネットの縦横縁部のロープにかかる力を低減させることである。スプリングは伸びるので、雪解け時には徐々に正常な位置に戻るのである。
スプリングの種類（伸縮タイプが一般的で、ここでは伸縮タイプで説明しているが、非常に強度性の高い圧縮タイプも使用することがある。）、大きさや線の太さは、設置される処分場での風荷重や雪荷重などで決定する。積雪地でない場合は、オールアンカーやアイナットの固定具に上方横縁部のロープを直接固定してもよい。
【００７２】
【発明の効果】
本発明は、上述の通り構成されているので次に記載する効果を奏する。
１．本発明のものは、新設処理場の他、既設処理場（遮水シートを既に張り終わって露出している場所）や山間部、沢部などを利用しているゴミ処理場にも使用することができるばかりでなく、ゴミで埋まるのに１０年以上かかる処分場や鳥類の群がる可能性のある処分場にも使用することができる。
２．ゴミ処理場以外の場所でも、シートのようなものが破れて化学液や重金属や汚水が浸透しないようにしたい場所、例えば、重金属を含んだトンネル残土の処理場や雨水などによって洪水にならないように設けられている調整池などに使用することができる。
３．処分場内の遮水シートを紫外線や大型ゴミなどの外的衝撃から保護することにより、排出水などの浸透を防ぐことができると共に、処理場の管理運営者の維持管理の簡素化を図ることができる。
４．本発明の鳥獣防止ネットは、処分場の他に使い方によって都会のカラスの繁殖を防止する為の木の囲いやイノシシ、サルなどを防止する田畑の囲い、そして、ニワトリを狙うイタチ、野良ネコの防止に使用することができる。
５．このほか、安価に製造できる、部品点数が少ないので組立が容易である、経済的である、などの効果をも有するものである。
【図面の簡単な説明】
【図１】第１発明の廃棄物の処分場の１部を切欠いた斜視図である。
【図２】処分場用くぼみ部の斜視図である。
【図３】同上の要部拡大縦断面図である。
【図４】Ａ−Ａ線拡大縦断面図である。
【図５】Ｂ−Ｂ線拡大縦断面図である。
【図６】同上の他の実施例の縦断面図である。
【図７】遮水シート保護マットの斜視図である。
【図８】補強シートの斜視図である。
【図９】第２発明の廃棄物の処分場の１部を切欠いた斜視図である。
【図１０】処分場用くぼみ部の斜視図である。
【図１１】同上の要部拡大縦断面図である。
【図１２】Ｃ−Ｃ線拡大縦断面図である。
【図１３】Ｄ−Ｄ線拡大縦断面図である。
【図１４】同上の他の実施例の縦断面図である。
【図１５】Ｅ−Ｅ線拡大縦断面図である。
【図１６】同上の他の実施例の縦断面図である。
【図１７】遮水シート保護マットの斜視図である。
【図１８】下方遮水シート保護マットの斜視図である。
【図１９】補強シートの斜視図である。
【図２０】下方補強シートである。
【図２１】第３発明の廃棄物の処分場の１部を切欠いた斜視図である。
【図２２】処分場用くぼみ部の斜視図である。
【図２３】同上の要部拡大縦断面図である。
【図２４】Ｆ−Ｆ線拡大縦断面図である。
【図２５】Ｇ−Ｇ線拡大縦断面図である。
【図２６】遮水シート保護マットの斜視図である。
【図２７】ネット用空間保持具と鳥獣防止ネットの斜視図である。
【図２８】ネット用空間保持具と鳥獣防止ネットの固定状態を説明する斜視図である。
【図２９】網空間保持体の斜視図である。
【図３０】網空間保持体の他の実施例の斜視図である。
【図３１】網空間保持体の他の実施例の斜視図である。
【図３２】網空間保持体の他の実施例の斜視図である。
【図３３】ネット用空間保持具と鳥獣防止ネットの関係を説明する要部拡大断面図である。
【図３４】第４発明の廃棄物の処分場の１部を切欠いた斜視図である。
【図３５】処分場用くぼみ部の斜視図である。
【図３６】同上の要部拡大縦断面図である。
【図３７】Ｈ−Ｈ線拡大縦断面図である。
【図３８】Ｉ−Ｉ線拡大縦断面図である。
【図３９】Ｊ−Ｊ線拡大縦断面図である。
【図４０】遮水シート保護マットの斜視図である。
【図４１】下方遮水シート保護マットの斜視図である。
【図４２】ネット用空間保持具と鳥獣防止ネットの斜視図である。
【図４３】ネット用空間保持具と鳥獣防止ネットの固定状態を説明する斜視図である。
【図４４】下方ネット用空間保持具と鳥獣防止ネットの斜視図である。
【図４５】下方ネット用空間保持具と鳥獣防止ネットの固定状態を説明する斜視図である。
【図４６】網空間保持体の斜視図である。
【図４７】網空間保持体の他の実施例の斜視図である。
【図４８】網空間保持体の他の実施例の斜視図である。
【図４９】網空間保持体の他の実施例の斜視図である。
【図５０】ネット用空間保持具と鳥獣防止ネットの関係を説明する要部拡大断面図である。
【図５１】第５発明の廃棄物の処分場の１部を切欠いた斜視図である。
【図５２】処分場用くぼみ部の斜視図である。
【図５３】同上の要部拡大縦断面図である。
【図５４】Ｋ−Ｋ線拡大縦断面図である。
【図５５】Ｌ−Ｌ線拡大縦断面図である。
【図５６】同上の他の実施例の縦断面図である。
【図５７】遮水シート保護マットの斜視図である。
【図５８】補強シートの斜視図である。
【図５９】ネット用空間保持具と鳥獣防止ネットの斜視図である。
【図６０】ネット用空間保持具と鳥獣防止ネットの固定状態を説明する斜視図である。
【図６１】網空間保持体の斜視図である。
【図６２】網空間保持体の他の実施例の斜視図である。
【図６３】網空間保持体の他の実施例の斜視図である。
【図６４】網空間保持体の他の実施例の斜視図である。
【図６５】ネット用空間保持具と鳥獣防止ネットの関係を説明する要部拡大断面図である。
【図６６】第６発明の廃棄物の処分場の１部を切欠いた斜視図である。
【図６７】処分場用くぼみ部の斜視図である。
【図６８】同上の要部拡大縦断面図である。
【図６９】Ｍ−Ｍ線拡大縦断面図である。
【図７０】Ｎ−Ｎ線拡大縦断面図である。
【図７１】同上の他の実施例の縦断面図である。
【図７２】Ｏ−Ｏ線拡大縦断面図である。
【図７３】同上の他の実施例の縦断面図である。
【図７４】遮水シート保護マットの斜視図である。
【図７５】下方遮水シート保護マットの斜視図である。
【図７６】補強シートの斜視図である。
【図７７】下方補強シートである。
【図７８】ネット用空間保持具と鳥獣防止ネットの斜視図である。
【図７９】ネット用空間保持具と鳥獣防止ネットの固定状態を説明する斜視図である。
【図８０】下方ネット用空間保持具と鳥獣防止ネットの斜視図である。
【図８１】下方ネット用空間保持具と鳥獣防止ネットの固定状態を説明する斜視図である。
【図８２】網空間保持体の斜視図である。
【図８３】網空間保持体の他の実施例の斜視図である。
【図８４】網空間保持体の他の実施例の斜視図である。
【図８５】網空間保持体の他の実施例の斜視図である。
【図８６】ネット用空間保持具と鳥獣防止ネットの関係を説明する要部拡大断面図である。
【符号の説明】
１　第１発明の廃棄物の処分場
２　処分場用くぼみ部
３　遮水シート
４　遮水シート保護マット
５　補強シート
７　土砂
１１　第２発明の廃棄物の処分場
２１　第１種処分場用くぼみ部
３１　第１種遮水シート
４１　第１種遮水シート保護マット
５１　下方補強シート
１イ　第３発明の廃棄物の処分場
６　ネット用空間保持具
８　鳥獣防止ネット
１イ１　第４発明の廃棄物の処分場
６１　下方ネット用空間保持具
８１　下方鳥獣防止ネット
１ロ　第５発明の廃棄物の処分場
１ロ１　第６発明の廃棄物の処分場
【図１】
2004016934.tif 000003
【図２】
2004016934.tif 000004
【図３】
2004016934.tif 000005
【図４】
2004016934.tif 000006
【図５】
2004016934.tif 000007
【図６】
2004016934.tif 000008
【図７】
2004016934.tif 000009
【図８】
2004016934.tif 000010
【図９】
2004016934.tif 000011
【図１０】
2004016934.tif 000012
【図１１】
2004016934.tif 000013
【図１２】
2004016934.tif 000014
【図１３】
2004016934.tif 000015
【図１４】
2004016934.tif 000016
【図１５】
2004016934.tif 000017
【図１６】
2004016934.tif 000018
【図１７】
2004016934.tif 000019
【図１８】
2004016934.tif 000020
【図１９】
2004016934.tif 000021
【図２０】
2004016934.tif 000022
【図２１】
2004016934.tif 000023
【図２２】
2004016934.tif 000024
【図２３】
2004016934.tif 000025
【図２４】
2004016934.tif 000026
【図２５】
2004016934.tif 000027
【図２６】
2004016934.tif 000028
【図２７】
2004016934.tif 000029
【図２８】
2004016934.tif 000030
【図２９】
2004016934.tif 000031
【図３０】
2004016934.tif 000032
【図３１】
2004016934.tif 000033
【図３２】
2004016934.tif 000034
【図３３】
2004016934.tif 000035
【図３４】
2004016934.tif 000036
【図３５】
2004016934.tif 000037
【図３６】
2004016934.tif 000038
【図３７】
2004016934.tif 000039
【図３８】
2004016934.tif 000040
【図３９】
2004016934.tif 000041
【図４０】
2004016934.tif 000042
【図４１】
2004016934.tif 000043
【図４２】
2004016934.tif 000044
【図４３】
2004016934.tif 000045
【図４４】
2004016934.tif 000046
【図４５】
2004016934.tif 000047
【図４６】
2004016934.tif 000048
【図４７】
2004016934.tif 000049
【図４８】
2004016934.tif 000050
【図４９】
2004016934.tif 000051
【図５０】
2004016934.tif 000052
【図５１】
2004016934.tif 000053
【図５２】
2004016934.tif 000054
【図５３】
2004016934.tif 000055
【図５４】
2004016934.tif 000056
【図５５】
2004016934.tif 000057
【図５６】
2004016934.tif 000058
【図５７】
2004016934.tif 000059
【図５８】
2004016934.tif 000060
【図５９】
2004016934.tif 000061
【図６０】
2004016934.tif 000062
【図６１】
2004016934.tif 000063
【図６２】
2004016934.tif 000064
【図６３】
2004016934.tif 000065
【図６４】
2004016934.tif 000066
【図６５】
2004016934.tif 000067
【図６６】
2004016934.tif 000068
【図６７】
2004016934.tif 000069
【図６８】
2004016934.tif 000070
【図６９】
2004016934.tif 000071
【図７０】
2004016934.tif 000072
【図７１】
2004016934.tif 000073
【図７２】
2004016934.tif 000074
【図７３】
2004016934.tif 000075
【図７４】
2004016934.tif 000076
【図７５】
2004016934.tif 000077
【図７６】
2004016934.tif 000078
【図７７】
2004016934.tif 000079
【図７８】
2004016934.tif 000080
【図７９】
2004016934.tif 000081
【図８０】
2004016934.tif 000082
【図８１】
2004016934.tif 000083
【図８２】
2004016934.tif 000084
【図８３】
2004016934.tif 000085
【図８４】
2004016934.tif 000086
【図８５】
2004016934.tif 000087
【図８６】
2004016934.tif 000088